(57)【要約】  本開示によれば、本開示に関連するエアクリーナアセンブリ、構成要素、特徴、及び方法が記載される。これらの特徴は、一部、カートリッジの好ましいシール構造及びシール表面の構成に関連する。フィルタカートリッジが軸方向ピンチシール表面を有するシール構造を含み、軸方向ピンチシール表面は突起／凹部輪郭を有し、突起／凹部輪郭はその上に少なくとも１つの突起を含み、カートリッジが、第１のハウジング係合突起を含むシールピンチ構造の部分と周囲整列する位置にシール輪郭突起安定部を含む、特定の構造が示される。カートリッジに固定されたプレクリーナ構造の清浄空気セパレータセクションチューブに関連する更なる特徴が含まれる。これらの特徴は、上記の特徴を含むカートリッジ又は別のカートリッジで使用することができる。上記によるエアクリーナ構造及びフィルタカートリッジの更なる特徴が記載される。【特許請求の範囲】
【請求項１】
エアフィルタカートリッジであって、
（ａ）対向する第１の流れ端部及び第２の流れ端部を含むフィルタ媒体パックであって、対向する前記第１の流れ端部と前記第２の流れ端部との間に延びる媒体を有し、
（ｉ）前記媒体は、前記第１の流れ端部に送られ、前記媒体を通る流れを濾過することのない前記第２の流れ端部から出る空気を流すために閉じられている、
フィルタ媒体パックと、
（ｂ）外部周囲表面と、第１のピンチシールハウジング係合表面と、を有する軸方向ピンチシールを有するピンチシール構造であって、
（ｉ）前記第１のピンチシールハウジング係合表面は傾斜のある軸方向ピンチシール表面であり、前記傾斜のある軸方向ピンチシール表面はその上に少なくとも第１のハウジング係合突起を有し、
（ｉｉ）前記第１のハウジング係合突起は、前記第１のハウジング係合突起の隣接する対向周辺側部にある前記傾斜のある軸方向ピンチシール表面の部分よりも、更に前記第２の流れ端部の方に延びる第１のピンチシール突起を含む、
ピンチシール構造と、
（ｃ）外側に向かって突出する第１のプリフォームフランジを有する第１のプリフォームであって、
（ｉ）前記第１のハウジング係合突起を含む前記ピンチシール構造の一部分と周囲整列する位置にある第１のシール輪郭突起安定部を有し、
（ｉｉ）前記第１のシール輪郭突起安定部は、前記第１のシール輪郭突起安定部の隣接する対向周辺側部に位置する前記プリフォームフランジの部分よりも前記第２の流れ端部に近い部分と軸方向に配置される、
第１のプリフォームと、
を含む、エアフィルタカートリッジ。
【請求項２】
（ａ）前記ピンチシール構造の一部分と前記媒体パックとの間に配置されたレシーバ凹部
を含む、請求項１に記載のエアフィルタカートリッジ。
【請求項３】
（ａ）前記第１のプリフォームフランジは前記レシーバ凹部を横断する、
請求項２に記載のエアフィルタカートリッジ。
【請求項４】
（ａ）前記レシーバ凹部は、前記第２の流れ端部の方に面する、軸方向に向けられた傾斜のある端面を含む、
請求項２又は３に記載のエアフィルタカートリッジ。
【請求項５】
（ａ）前記軸方向に向けられた傾斜のある端面は、前記第１のハウジング係合突起と周囲整列した第１の突起セクションを含む、
請求項４に記載のエアフィルタカートリッジ。
【請求項６】
エアフィルタカートリッジであって、
（ａ）対向する第１の流れ端部及び第２の流れ端部を含むフィルタ媒体パックであって、対向する前記第１の流れ端部と前記第２の流れ端部との間に延びる媒体を有し、
（ｉ）前記媒体は、前記第１の流れ端部に送られ、前記媒体を通る流れを濾過することのない前記第２の流れ端部に入る空気を流すために閉じられている、
フィルタ媒体パックと、
（ｂ）外部周囲表面と、第１のピンチシールハウジング係合表面と、を有する軸方向ピンチシールを有するピンチシール構造であって、
（ｉ）前記第１のピンチシールハウジング係合表面は傾斜のある軸方向ピンチシール表面であり、前記傾斜のある軸方向ピンチシール表面はその上に少なくとも第１のハウジング係合突起を有し、
（ｉｉ）前記第１のハウジング係合突起は、前記第１のハウジング係合突起の隣接する対向周辺側部にある前記傾斜のある軸方向ピンチシール表面の部分よりも、更に前記第２の流れ端部の方に延びる第１のピンチシール突起を含み、
（ｉｉｉ）前記ピンチシール構造はその中に、前記ピンチシール構造の一部分と前記媒体パックとの間に配置されたレシーバ凹部を画定する、
ピンチシール構造と、
（ｃ）第１のプリフォームであって、
（ｉ）前記第１のハウジング係合突起と周囲整列したところから離隔した位置において前記レシーバ凹部を横断する第１のプリフォーム第１の突起セクションと、
（ｉｉ）前記第１のハウジング係合突起と周囲整列した位置において前記レシーバ凹部を横断して配置された第１の突起輪郭安定化セクションと、
を有し、
（Ａ）前記プリフォームの前記第１の突起輪郭安定化セクションは、前記第１のプリフォーム第１の突起セクションよりも前記媒体パックの前記第２の流れ端部の近くに方向付けられた少なくとも一部分を有する、
第１のプリフォームと、
を含む、エアフィルタカートリッジ。
【請求項７】
エアフィルタカートリッジであって、
（ａ）対向する第１の流れ端部及び第２の流れ端部を含むフィルタ媒体パックであって、対向する前記第１の流れ端部と前記第２の流れ端部との間に延びる媒体を有し、
（ｉ）前記媒体は、前記第１の流れ端部に送られ、前記媒体を通る流れを濾過することのない前記第２の流れ端部に入る空気を流すために閉じられている、
フィルタ媒体パックと、
（ｂ）外部周囲表面と、第１のピンチシールハウジング係合表面と、を有する軸方向ピンチシールを有するピンチシール構造であって、
（ｉ）前記第１のピンチシールハウジング係合表面は傾斜のある軸方向ピンチシール表面であり、前記傾斜のある軸方向ピンチシール表面はその上に少なくとも第１のハウジング係合突起を有し、
（ｉｉ）前記第１のハウジング係合突起は、前記第１のハウジング係合突起の隣接する対向周辺側部にある前記傾斜のある軸方向ピンチシール表面の部分よりも、更に前記第２の流れ端部の方に延びる第１のピンチシール突起を含む、
ピンチシール構造と、
（ｃ）前記ピンチシール構造の一部分と前記媒体パックとの間に配置されたレシーバ凹部であって、
（ｉ）前記レシーバ凹部は、前記第２の流れ端部の方に面する、軸方向に向けられた傾斜のある端面を含み、前記軸方向に向けられた傾斜のある端面は、前記第１のハウジング係合突起と周囲整列した第１の突起セクションを含む、
レシーバ凹部と、
を含む、エアフィルタカートリッジ。
【請求項８】
（ａ）外側に向かって突出するプリフォームフランジを有する前記媒体パックを取り囲む第１のプリフォーム
を含む、請求項７に記載のエアフィルタカートリッジ。
【請求項９】
（ａ）前記第１のプリフォームフランジは、前記第１のハウジング係合突起を含む前記ピンチシール構造の一部分と周囲整列する位置にある第１のシール輪郭突起安定部を含み、
（ｉ）前記第１のシール輪郭突起安定部は、前記第１のシール輪郭突起安定部の隣接する対向周辺側部に位置する前記プリフォームフランジの部分よりも前記第２の流れ端部に近い部分と軸方向に配置される、
請求項８に記載のエアフィルタカートリッジ。
【請求項１０】
（ａ）前記ピンチシール構造から前記第２の流れ端部まで延びて前記媒体パックの側部を取り囲む第１のプリフォームの側壁セクション
を含む、請求項１〜９のいずれか一項に記載のエアフィルタカートリッジ。
【請求項１１】
（ａ）前記側壁セクションを有する前記第１のプリフォームは、前記媒体パックの前記第２の流れ端部にわたって延びるグリッドワーク構造を含む、
請求項１０に記載のエアフィルタカートリッジ。
【請求項１２】
（ａ）前記第１のプリフォームは、前記ピンチシール構造に組み込まれた少なくとも第１の周囲樹脂流凹部を有する外側に向かって突出する第１のプリフォームフランジを有する、請求項１０又は１１に記載のエアフィルタカートリッジ。
【請求項１３】
（ａ）前記プリフォームフランジ内の前記第１の周囲樹脂用凹部は、狭い周囲ネック部及び広い内部樹脂レシーバを有する、
請求項１２に記載のエアフィルタカートリッジ。
【請求項１４】
（ａ）前記広い内部樹脂レシーバは前記狭い突起ネック部よりも少なくとも３０％広い、
請求項１３に記載のエアフィルタカートリッジ。
【請求項１５】
（ａ）前記第１のプリフォームは、前記ピンチシール構造に組み込まれた第１の複数の周囲樹脂用凹部を有する外側に向かって突出する第１のプリフォームフランジを有する、
請求項１２〜１４のいずれか一項に記載のエアフィルタカートリッジ。
【請求項１６】
（ａ）各前記第１の複数の周囲樹脂用凹部はそれぞれ、狭い周囲ネック部及び広い内部樹脂レシーバを含む、
請求項１５に記載のエアフィルタカートリッジ。
【請求項１７】
（ａ）各広い内部樹脂レシーバは、関連する狭い突起ネック部よりも少なくとも３０％広い、請求項１６に記載のエアフィルタカートリッジ。
【請求項１８】
（ａ）前記第１のピンチシール突起は、少なくとも１０ｍｍの平坦先端伸張範囲を有する端部先端を含む、
請求項１〜１７のいずれか一項に記載のエアフィルタカートリッジ。
【請求項１９】
（ａ）前記第１のピンチシール突起は、少なくとも３０ｍｍの平坦先端伸張範囲を有する端部先端を含む、
請求項１８に記載のエアフィルタカートリッジ。
【請求項２０】
（ａ）前記第１のピンチシール突起は、４０〜１２０ｍｍの範囲内の平坦先端伸張範囲を有する端部先端を含む、
請求項１８又は１９に記載のエアフィルタカートリッジ。
【請求項２１】
（ａ）前記第１の流れ端部に隣接し、前記ピンチシール構造に組み込まれた、前記媒体パックを取り囲む部分を有する第２のプリフォーム
を含む、請求項１〜２０のいずれか一項に記載のエアフィルタカートリッジ。
【請求項２２】
（ａ）前記第２のプリフォームは、前記媒体パックの前記第１の流れ端部と軸方向に重なったハンドルを含む、
請求項２１に記載のエアフィルタカートリッジ。
【請求項２３】
（ａ）前記第２のプリフォームは、前記ピンチシール構造内の、前記第１のプリフォームに当接する位置に延びる複数のスペーサ突起を含む、
請求項２１又は２２に記載のエアフィルタカートリッジ。
【請求項２４】
（ａ）前記第２のプリフォームは、前記媒体パックの前記第１の流れ端部にわたって延びるグリッド構造を含む、
請求項２１〜２３のいずれか一項に記載のエアフィルタカートリッジ。
【請求項２５】
（ａ）前記ピンチシール構造の一部分と前記媒体パックとの間に配置された、周囲方向に連続するレシーバ凹部
を含む、請求項１〜２４のいずれか一項に記載のエアフィルタカートリッジ。
【請求項２６】
（ａ）前記媒体パックは楕円断面形状を有する、
請求項１〜２５のいずれか一項に記載のエアフィルタカートリッジ。
【請求項２７】
（ａ）前記媒体パックは、対向する第１の半円形端部及び第２の半円形端部と、前記第１の半円形端部と前記第２の半円形端部との間に延びる、対向する第１の側部及び第２の側部と、を有する楕円断面形状を有する、
請求項２６に記載のフィルタカートリッジ。
【請求項２８】
（ａ）前記媒体パックは、寸法Ｄ１の第１の最長断面軸、並びに前記第１の断面軸の一部分に、及び前記第１の断面軸に垂直に、第２の断面寸法Ｄ２を有し、
（ｉ）Ｄ１／Ｄ２の比率は少なくとも１．４である
請求項２６又は２７に記載のエアフィルタカートリッジ。
【請求項２９】
（ａ）Ｄ１／Ｄ２の比率は少なくとも１．５である、
請求項２８に記載のエアフィルタカートリッジ。
【請求項３０】
（ａ）Ｄ１／Ｄ２の比率は１．８〜３．０の範囲内である、
請求項２８又は２９に記載のエアフィルタカートリッジ。
【請求項３１】
（ａ）前記媒体パックの周囲形状と異なる周囲形状を有する、前記媒体パックを取り囲むプリフォーム側壁
を含む、請求項１〜３０のいずれか一項に記載のエアフィルタカートリッジ。
【請求項３２】
（ａ）前記媒体パックは円形断面形状を有する、
請求項１〜２５のいずれか一項に記載のエアフィルタカートリッジ。
【請求項３３】
（ａ）前記ピンチシール構造は、前記フィルタ媒体パックと接触し、前記フィルタ媒体パックを取り囲んで成形された一部分を含む、
請求項１〜３２のいずれか一項に記載のエアフィルタカートリッジ。
【請求項３４】
（ａ）前記第１のハウジング係合突起は、前記軸方向ピンチシール表面に平坦軸方向端部先端を形成する、
請求項１〜３３のいずれか一項に記載のエアフィルタカートリッジ。
【請求項３５】
（ａ）前記第１のハウジング係合突起の前記平坦軸方向端部先端は、２００ｍｍ以下の周囲長にわたって延びる、
請求項３４に記載のエアフィルタカートリッジ。
【請求項３６】
（ａ）前記第１のハウジング係合突起の前記平坦軸方向端部先端は、１８０ｍｍ以下の周囲長にわたって延びる、
請求項３５に記載のエアフィルタカートリッジ。
【請求項３７】
（ａ）前記第１のハウジング係合突起の前記平坦軸方向端部先端は、１５０ｍｍ以下の周囲長にわたって延びる、
請求項３６に記載のエアフィルタカートリッジ。
【請求項３８】
（ａ）前記軸方向ピンチシールの前記外部周囲表面は、前記第１のハウジング係合突起と周囲整列した第１の周囲凹部を含む、
請求項１〜３７のいずれか一項に記載のエアフィルタカートリッジ。
【請求項３９】
（ａ）前記軸方向ピンチシールは１８０°回転対称の形状を有する、
請求項１〜３８のいずれか一項に記載のエアフィルタカートリッジ。
【請求項４０】
（ａ）前記軸方向ピンチシールは９０°回転対称の形状を有する、
請求項１〜３９のいずれか一項に記載のエアフィルタカートリッジ。
【請求項４１】
（ａ）前記媒体パックは、外装媒体に固定されたフルート付き媒体のコイル式構造を含む、請求項１〜４０のいずれか一項に記載のエアフィルタカートリッジ。
【請求項４２】
（ａ）前記媒体パックは、対向する第１の流れ面と第２の流れ面との間における少なくとも１００ｍｍの寸法を有する、
請求項１〜４１のいずれか一項に記載のエアフィルタカートリッジ。
【請求項４３】
（ａ）本体と、アクセスカバーと、空気流入口と、空気流出口と、を含むハウジングと、
（ｂ）前記軸方向ピンチシールが前記アクセスカバーによって前記本体に付勢された状態で前記ハウジング内に動作的に配置されている請求項１〜４２のいずれか一項に記載のエアフィルタカートリッジと、
を含む、エアクリーナアセンブリ。
【請求項４４】
（ａ）プレクリーナ
を含む、請求項４３に記載のエアクリーナアセンブリ。
【請求項４５】
（ａ）複数のセパレータチューブセクションを含むキャップ部を有する前記フィルタ媒体パックの端部上に延びる第２のプリフォームであって、
（ｉ）前記セパレータチューブセクションは、前記媒体パックから離れる方向に突出する、
第２のプリフォームを含む、請求項１〜４２のいずれか一項に記載のエアフィルタカートリッジ。
【請求項４６】
（ａ）前記セパレータチューブセクションはそれぞれ円形断面を有する、
請求項４５に記載のエアフィルタカートリッジ。
【請求項４７】
（ａ）前記セパレータチューブセクションは、１８０°回転対称を有するアレイに方向付けられている、
請求項４５又は４６に記載のエアフィルタカートリッジ。
【請求項４８】
（ａ）前記媒体は円形外側周縁部を有し、
（ｂ）前記セパレータチューブセクションは、９０°回転対称を有するアレイに方向付けられている、
請求項４５〜４７のいずれか一項に記載のエアフィルタカートリッジ。
【請求項４９】
（ａ）前記セパレータチューブセクションは、前記ピンチシール構造と同じ回転対称を有するアレイに方向付けられている、
請求項４５〜４８のいずれか一項に記載のエアフィルタカートリッジ。
【請求項５０】
エアフィルタカートリッジであって、
（ａ）対向する第１の流れ端部及び第２の流れ端部を含むフィルタ媒体パックであって、対向する前記第１の流れ端部と前記第２の流れ端部との間に延びる媒体を有し、
（ｉ）前記媒体は、前記第１の流れ端部に送られ、前記媒体を通る流れを濾過することのない前記第２の流れ端部から出る空気を流すために閉じられている、
フィルタ媒体パックと、
（ｂ）シール部材を含むハウジングシール構造と、
（ｃ）前記フィルタ媒体パック上に配置された入口プリフォームであって、
（ｉ）前記入口プリフォームは、前記媒体パックの前記第１の流れ端部上に延びるキャップを含み、
（ｉｉ）前記キャップは、複数のプレクリーナ、セパレータチューブ、清浄空気入口セクションを有し、前記プリフォームを通って、前記媒体に達する流れを提供する、
入口プリフォームと、
を含む、エアフィルタカートリッジ。
【請求項５１】
（ａ）前記複数の清浄空気入口セクションは、１８０°回転対称を有するアレイに配置されている、
請求項５０に記載のエアフィルタカートリッジ。
【請求項５２】
（ａ）前記複数の清浄空気入口セクションは、９０°回転対称を有するアレイに配置されている、
請求項５０又は５１に記載のエアフィルタカートリッジ。
【請求項５３】
（ａ）前記シール部材はその中に組み込まれた前記入口プリフォームの一部分とともに現場成形される、
請求項５０〜５２のいずれか一項に記載のエアフィルタカートリッジ。
【請求項５４】
（ａ）前記入口プリフォームは、前記フィルタ媒体パックの前記第１の流れ端部の端部領域の少なくとも５％を含む空気流開口面積を画定する、
請求項５０〜５３のいずれか一項に記載のエアフィルタカートリッジ。
【請求項５５】
（ａ）前記入口プリフォームは、前記フィルタ媒体パックの前記第１の流れ端部の端部領域の少なくとも１０％を含む開口面積を有する、
請求項５０〜５４のいずれか一項に記載のエアフィルタカートリッジ。
【請求項５６】
（ａ）前記入口プリフォームは、前記フィルタ媒体パックの前記第１の流れ端部の端部領域の少なくとも１５％を含む開口面積を有する、
請求項５０〜５５のいずれか一項に記載のエアフィルタカートリッジ。
【請求項５７】
（ａ）前記入口プリフォームは、前記第１の流れ端部において、前記キャップ端部入口空気セクションを前記媒体パックから少なくとも８ｍｍ離隔するように配置されている、 
請求項５０〜５６のいずれか一項に記載のエアフィルタカートリッジ。
【請求項５８】
（ａ）前記入口プリフォームは、前記第１の流れ端部において、前記キャップ端部入口空気セクションを前記媒体パックから少なくとも１０ｍｍ離隔するように配置されている、
請求項５０〜５７のいずれか一項に記載のエアフィルタカートリッジ。
【請求項５９】
（ａ）前記空気入口セクションは円形の内部及び外部断面形状を有する、
請求項５０〜５８のいずれか一項に記載のエアフィルタカートリッジ。
【請求項６０】
（ａ）前記ハウジングシール構造は、外部周囲表面と、第１のピンチシールハウジング係合表面と、を有する軸方向ピンチシールを有するピンチシール構造である、
請求項５０〜５９のいずれか一項に記載のエアフィルタカートリッジ。
【請求項６１】
（ａ）前記第１のピンチシールハウジング係合表面は、少なくとも第１のハウジング係合突起を有する、傾斜のある軸方向ピンチシール表面である、
請求項６０に記載のエアフィルタカートリッジ。
【請求項６２】
（ａ）前記第１のハウジング係合突起は、前記第１のハウジング係合突起の隣接する対向周辺側部にある前記傾斜のある軸方向ピンチシール表面の部分よりも、更に前記第２の流れ端部の方に延びる第１のピンチシール突起を含む、
請求項６１に記載のエアフィルタカートリッジ。
【請求項６３】
（ａ）前記ピンチシール構造の一部分と前記媒体パックとの間に配置されたレシーバ凹部
を含む、請求項６０〜６２のいずれか一項に記載のエアフィルタカートリッジ。
【請求項６４】
（ａ）前記媒体パックはコイル式媒体構造である、
請求項５０〜６３のいずれか一項に記載のエアフィルタカートリッジ。
【請求項６５】
（ａ）前記媒体パックは円形の外部周囲を有する、
請求項５０〜６４のいずれか一項に記載のエアフィルタカートリッジ。
【請求項６６】
（ａ）前記媒体パックは非円形の外部周囲を有する、
請求項５０〜６４のいずれか一項に記載のエアフィルタカートリッジ。
【請求項６７】
（ａ）前記媒体パックは楕円形の外部周囲を有する、
請求項６６に記載のエアフィルタカートリッジ。
【請求項６８】
（ａ）前記媒体パックを取り囲む部分を有する出口プリフォーム
を含む、請求項５０〜６７のいずれか一項に記載のエアフィルタカートリッジ。
【請求項６９】
（ａ）前記出口プリフォームは、前記シール構造から前記媒体パックの前記第２の流れ端部まで延びる、
請求項６８に記載のエアフィルタカートリッジ。
【請求項７０】
（ａ）前記出口プリフォームは、前記出口プリフォームに固定された前記ハウジングシール構造を有する一部分を含む、
請求項６８又は６９に記載のエアフィルタカートリッジ。
【請求項７１】
（ａ）前記カートリッジは請求項１〜４２のいずれか一項に記載のものである、
請求項５０〜７０のいずれか一項に記載のエアフィルタカートリッジ。
【請求項７２】
エアクリーナアセンブリであって、
（ａ）本体と、アクセスカバーと、空気流入口と、空気流出口と、を含むハウジングと、
（ｂ）プレクリーナであって、
（ｉ）前記プレクリーナは、前記アクセスカバーに配置されたセパレータチューブ遠心分離器入口セクションのアレイを含む、プレクリーナと、
（ｃ）前記ハウジング内に動作的に配置された、請求項５０〜７１のいずれか一項に記載のエアフィルタカートリッジであって、前記カートリッジ上の清浄空気入口チューブセクションは、前記セパレータチューブ遠心分離器入口セクションへと突出する、エアフィルタカートリッジと、
を含む、エアクリーナアセンブリ。
【発明の詳細な説明】
【技術分野】
【０００１】
本出願は、２０１８年８月３０日にＰＣＴ国際特許出願として出願され、２０１７年８月３１日に出願された米国仮特許出願第６２／５５２，８３６号明細書、及び２０１８年６月１５日に出願された米国特許出願第６２／６８５，３９４号明細書の優先権の利益を主張する。
【０００２】
関連出願の相互参照
本願は、２０１７年８月３１日に出願された米国仮特許出願第６２／５５２，８３６号明細書の、編集を加えた開示を含む。米国仮特許出願第６２／５５２，８３６号明細書の開示全体を参照により本明細書中に組み込む。
【０００３】
本開示は、典型的には、内燃機関の吸気などの空気の濾過において使用するためのフィルタ構造に関する。本開示は、特に、対向する流れ端部を有するカートリッジを伴うフィルタ構造に関する。エアクリーナ構造、構成要素及び特徴並びに組み立て方法及び使用方法が、記載される。
【背景技術】
【０００４】
空気流はその中に粉じん及び液体粒子などの汚染物質を保持する場合がある。多くの例では、この汚染物質の一部又はすべてを空気流から濾過することが望まれる。例えば、自動車又は発電機器のエンジンへの空気流ストリーム（例えば、燃焼空気流）、ガスタービンシステムへのガス流、及び種々の燃焼炉への空気流はその中に、濾過されるべき微粒子汚染物質を保持する。このようなシステムでは、選択した汚染物質を空気から除去する（又は選択した汚染物質の空気中におけるレベルを低下させる）ことが好まれる。
【０００５】
このような汚染物質を除去するための様々なエアフィルタ構造が開発されている。これらは典型的には、保守可能な（すなわち、取り外し可能且つ交換可能な）メインフィルタカートリッジを含む。メインフィルタカートリッジは、保守が簡単で、それが使用されるエアクリーナアセンブリ内に容易に且つ適切に密閉される構成のものであり、且つ好ましくは、不適切な若しくは認可されていないカートリッジを容易に取り付けることができない又は取り付けられるように見えないように、エアクリーナアセンブリと組み合わせて構成されることが望ましい。この手法は開発されており、参照により本明細書中に組み込む、例えば、国際公開第２０１４／２１０５４１号パンフレット及び国際公開第２０１６／１０５５６０号パンフレットを参照されたい。改良が求められている。
【発明の概要】
【課題を解決するための手段】
【０００６】
本開示によれば、本発明に関連するエアクリーナアセンブリ、構成要素、特徴、及び方法が記載される。記載される特徴の中には、例えば、吸気及び内燃機関を濾過するなどのために、エアクリーナアセンブリ内の保守可能なフィルタカートリッジとして使用可能なエアフィルタカートリッジがある。
【０００７】
使用されるときに、カートリッジが対象のエアクリーナにとって適切なものであるかを確実とすることに関連する特徴が含まれる。本明細書の手法の特定の適用において、これらの特徴は、一部、カートリッジのシール構造及びシール表面の構成に関連する。フィルタカートリッジが軸方向ピンチシール表面を有するシール構造を含み、軸方向ピンチシール表面は突起／凹部輪郭を有し、突起／凹部輪郭はその上に少なくとも１つの突起部材を含む特定の構造が示される。
【０００８】
記載される手法のいくつかの適用において、本開示の選択した特徴は、望ましくないシール変形を阻止する位置に、（典型的には、第１のハウジング係合突起を含むシールピンチ構造の部分と周囲整列して）シール輪郭突起安定部を有する構造を提供することに関連する。これを容易にするための例示的な選択した特徴が提供される。
【０００９】
本開示の一態様によれば、フィルタカートリッジ上に入口キャップを設けることであって、このキャップは、プレクリーナ構造の一部分としてセパレータチューブ構成要素を含む、ことを含む、修正されたカートリッジ特徴が開示される。このような特徴は、上で特徴付けられた特徴とともに有利に使用され得るが、単独で使用することはできる。
【００１０】
上記によるエアクリーナ構造及びフィルタカートリッジの更なる特徴が記載される。好ましい特徴及び変更形態が含まれる。
【図面の簡単な説明】
【００１１】
【図１】本開示による構造において使用可能な第１の例示的媒体種類の部分概略斜視図である。
【図２】図１に示される媒体種類の一部分の拡大概略断面図である。
【図３】図１及び図２の種類の媒体の種々のフルート付き媒体の定義の例の概略図を含む。
【図４】図１〜図３の種類の媒体を製造するための例示的プロセスの概略図である。
【図５】図１〜図４の種類の媒体フルートの任意選択の端部ダーツの概略断面図である。
【図６】本開示による特徴を含むフィルタカートリッジで使用可能であり、例えば図１による媒体のストリップで作製されたコイル式フィルタ構造の概略斜視図である。
【図７】本開示による選択した特徴を含むフィルタ構造で使用可能であり、例えば図１による媒体のストリップから作製されたスタック式媒体パック構造の概略斜視図である。
【図８】図１の媒体とは別の媒体を使用する、本開示による選択したフィルタカートリッジで使用可能な別のフィルタ媒体パックの概略流れ端部図である。
【図８Ａ】図８の図とは対向する流れ端部の概略図である。
【図８Ｂ】図８及び図８Ａの媒体パックの概略断面図である。
【図９】本開示による特徴を含むフィルタカートリッジの媒体パックで使用可能な更に別の媒体種類の概略部分断面図である。
【図１０】図９の媒体種類の第１の変形形態の概略部分断面図である。
【図１１Ａ】本開示による、使用可能な別のフルート付きシート／外装シートの組み合わせの概略部分図である。
【図１１Ｂ】媒体パックで示される図１１Ａの種類の媒体の第２の部分概略図である。
【図１１Ｃ】本開示による構造において使用可能な更に別の媒体変形形態の概略部分平面図である。
【図１２Ａ】本開示による別の使用可能なフルート付きシート／外装シートの組み合わせの概略図である。
【図１２Ｂ】図６４に示される使用可能なフルート付きシート／外装シートの組み合わせの一部分の斜視図である。
【図１３】本開示によるエアクリーナアセンブリの概略側立面図である。
【図１４】図１３のエアクリーナアセンブリの入口側端部概略斜視図である。
【図１５】図１３及び図１４のエアクリーナアセンブリの分解概略入口側端部斜視図である。
【図１６】図１３〜図１５のエアクリーナアセンブリの概略入口側端部立面図である。
【図１７】図１６の線１７−１７に沿って概ね取ったエアクリーナアセンブリの概略断面図である。
【図１７Ａ】図１７の特定部分の拡大部分図である。
【図１８】図１３〜図１５のアセンブリの任意の安全フィルタカートリッジの概略入口側端部斜視図である。
【図１９】図１８の安全フィルタカートリッジの概略出口側端部斜視図である。
【図２０】図１３〜図１５のアセンブリにおいて使用可能なメインフィルタカートリッジの入口側端部概略斜視図である。
【図２１】図２０のフィルタカートリッジの概略側立面図である。
【図２１Ａ】図２１の一部分の拡大概略部分図である。
【図２１Ｂ】図２１の線２１Ｂ−２１Ｂに概ね沿って取った拡大部分断面図である。
【図２２】図２０のフィルタカートリッジの概略狭端部立面図である。
【図２３】図２０のフィルタカートリッジの概略出口側端部斜視図である。
【図２３Ａ】図２１の線２３Ａ−２３Ａに沿って概ね取った拡大断面図である。
【図２４】図２０のフィルタカートリッジの概略分解入口側端部斜視図である。
【図２５】図２０のフィルタカートリッジの概略分解出口側端部図である。
【図２５Ａ】図２５の特定部分の拡大概略部分図である。
【図２６】図１３〜図１５のエアクリーナアセンブリの第２の概略側立面図である。
【図２７】図２６のエアクリーナアセンブリの選択した構成要素の概略斜視分解断面図であり、視点は、図２６の線２７−２７に沿って概ね取られている。
【図２７Ａ】図２７の特定部分の拡大部分図である。
【図２７Ｂ】図２７Ａに対応するが、非分解組立（又は取り付けられた）配向のカートリッジを示す概略図である。
【図２８】図２７に類似するが、図２６の線２８−２８に沿って概ね取った第２の概略分解断面図である。
【図２８Ａ】図２８の特定部分の拡大概略部分図である。
【図２８Ｂ】図２７Ａに類似するが、完全に取り付けられた配向のカートリッジを示す拡大部分概略図である。
【図２９】図２７に類似するが、図２６の線２９−２９に沿って取った分解概略斜視断面図である。
【図２９Ａ】図２９の特定部分の拡大部分概略図である。
【図２９Ｂ】分解された配向よりもむしろ完全に取り付けられたカートリッジを示すこと以外は図２９Ａに類似する拡大部分図である。
【図３０】図２７に類似するが、図２６の線３０−３０に沿って取った概略分解斜視断面図である。
【図３０Ａ】図３０の特定部分の拡大部分概略図である。
【図３０Ｂ】完全に取り付けられた配向のカートリッジを示すこと以外は図３０Ａに類似する図である。
【図３１】図２７に類似するが、図２６の線３１−３１に沿って概ね取った概略分解斜視断面図である。
【図３１Ａ】図３１の特定部分の拡大部分概略図である。
【図３１Ｂ】（分解されるよりもむしろ）完全に取り付けられた配向のカートリッジを示すこと以外は図３１Ａに類似する図である。
【図３２】アクセスカバー及びプレクリーナの一部分を分解図で示す、図１３〜図１５、図３２のエアクリーナアセンブリの入口側端部概略斜視図である。
【図３２Ａ】図３２の一部分の拡大概略部分図である。
【図３３】図３２に類似するが、ハウジングの出口側端部に向かう視点から取られた分解概略斜視図である。
【図３３Ａ】図３３に示されるアクセスカバー構成要素の内側表面の拡大概略図である。
【図３４】図１３〜図１５によるエアクリーナアセンブリの概略入口側端部立面図である。
【図３５】本開示による選択した特徴を含む別のフィルタカートリッジの概略斜視図である。
【図３６】図３５によるフィルタカートリッジの概略分解斜視図である。
【図３７】図３５〜図３６によるフィルタカートリッジを含み得るエアクリーナアセンブリを示す概略側立面図である。
【図３８】本開示による選択した特徴を含む別のエアクリーナアセンブリの入口側端部概略斜視図である。
【図３９】図３８のエアクリーナアセンブリの概略分解斜視図である。
【図３９Ａ】図３９のアセンブリのフィルタカートリッジ構成要素の概略分解斜視図である。
【図４０】図３９の線４０−４０に沿って概ね取った概略断面図である。
【図４１】図３８〜図４０の一般的な特徴に従って選択した原理を使用するが、別の形状のカートリッジの状況における、別のフィルタカートリッジの概略斜視図である。
【発明を実施するための形態】
【００１２】
Ｉ．全般的な例示的媒体構成
本開示による原理は、以下に記載する特定の、選択した所望の結果を達成するための有利な手法におけるフィルタカートリッジとエアクリーナシステムとの間の相互作用に関する。フィルタカートリッジは、一般に、濾過操作中に空気及び他のガスが通過するフィルタ媒体をその中に含む。媒体は、様々な種類及び構成のものであり得るとともに、様々な材料を使用して作製され得る。以下で記載するように、例えば、プリーツ付き媒体構造が、本開示の原理によるカートリッジ内で使用され得る。
【００１３】
この原理は、カートリッジの入口側端部と出口側端部との間の媒体の伸張範囲が非常に深い状況における使用のために特に良く適合されているが、別のものは可能である。また、この原理は、比較的大きな断面寸法サイズのカートリッジに使用されることが多い。このような構造では、プリーツ付き媒体とは別の媒体種類が望ましいことが多い。
【００１４】
この段落では、本明細書中に記載される手法において使用可能ないくつかの媒体構造の例が提供される。しかしながら、様々な別の媒体種類を使用できることは理解されよう。媒体種類の選択は、一般に、利用可能性、所与の適用状況における機能、製造の容易さ等において好みのものであり、選択は、本明細書中に特徴付けられる各種フィルタカートリッジ／エアクリーナ相互作用特徴のうち選択したものの全体的な機能に必ずしも特に関係するわけではない。
【００１５】
Ａ．外装媒体に固定された媒体リッジ（フルート）を有するフィルタ媒体を使用する媒体パック構造
フルート付きフィルタ媒体（媒体リッジを有する媒体）を用いて、流体フィルタ構造を種々の手法で設けることができる。良く知られた手法の１つは、本明細書中ではｚフィルタ構造として特徴付けられる。本明細書で使用する場合、用語「ｚフィルタ構造」は、波形が付けられた、折られた、又はこれ以外で形成されたフィルタフルートの個々のフルートを使用して、媒体を流れる流体のための一群の長手方向の、典型的には平行な、入口及び出口フィルタフルートを画定する（典型的には外装媒体と組み合わせて）種類のフィルタ構造を含む（がこれに限定されない）ものである。ｚフィルタ媒体のいくつかの例は、米国特許第５，８２０，６４６号明細書、米国特許第５，７７２，８８３号明細書、米国特許第５，９０２，３６４号明細書、米国特許第５，７９２，２４７号明細書、米国特許第５，８９５，５７４号明細書、米国特許第６，２１０，４６９号明細書、米国特許第６，１９０，４３２号明細書、米国特許第６，３５０，２９１号明細書、米国特許第６，１７９，８９０号明細書、米国特許第６，２３５，１９５号明細書、米国意匠特許第３９９，９４４号明細書、米国意匠特許第４２８，１２８号明細書、米国意匠特許第３９６，０９８号明細書、米国意匠特許第３９８，０４６号明細書、米国意匠特許第４３７，４０１号明細書、国際公開第２０１４／２１０５４１号パンフレット、国際公開第２０１６／１０５５６０号パンフレットおよび国際公開第２０１６／１４１０９７号パンフレットに記載されている。これらの引用参照文献はそれぞれ、参照により本明細書中に組み込まれる。
【００１６】
１つのｚフィルタ媒体の種類では、ともに接合されて媒体構造を形成している２つの特定の媒体構成要素を用いている。この２つの構成要素は、（１）フルート付き（典型的には、波形付き）媒体シート又はシートセクション、及び（２）外装媒体シート又はシートセクションである。外装媒体シートには、典型的には、波形は付けられていないが、例えば、２００４年２月１１日に出願され、２００５年８月２５日に国際公開第０５／０７７４８７号パンフレットとして公開された米国仮特許出願第６０／５４３，８０４号明細書（これら明細書は参照により本明細書中に組み込まれる）に記載されているように、フルート方向に垂直に波形を付けることができる。
【００１７】
フルート付き媒体セクション及び外装媒体セクションは、互いに別々の材料を含み得る。しかしながら、これらは、外装媒体材料を媒体のフルート付き媒体部分と適切に並置させるために折られる単一媒体シートのセクションとすることもできる。
【００１８】
フルート付き（典型的には、波形付き）媒体シート及び外装媒体シート又はシートセクションはともに、平行なフルートを有する媒体を画定するために典型的には、使用される。いくつかの例では、フルート付きシートと外装シートとは別々にされ、そしてともに固定され、その後、媒体ストリップとして巻かれ、ｚフィルタ媒体構造を形成する。このような構造については、例えば、米国特許第６，２３５，１９５号明細書及び米国特許第６，１７９，８９０号明細書（このそれぞれは参照により本明細書中に組み込まれる）に記載されている。あるその他の構造では、いくつかの巻かれていないセクション又は外装媒体に固定されたフルート付き（典型的には、波形付き）媒体のストリップは互いに積み重ねられてフィルタ構造を作成する。この例は、米国特許第５，８２０，６４６号明細書（参照により本明細書中に組み込まれる）の図１１に記載されている。
【００１９】
本明細書中では、波形付きシートに固定されたフルート付きシート（リッジを有する媒体のシート）を含む材料のストリップは、後に、スタックへと組み立てられて媒体パックを形成し、時として、「単一フェーサストリップ（ｓｉｎｇｌｅ  ｆａｃｅｒ  ｓｔｒｉｐ）」、「単一フェース式ストリップ（ｓｉｎｇｌｅ  ｆａｃｅｄ  ｓｔｒｉｐ）」又は「単一フェーサ（ｓｉｎｇｌｅ  ｆａｃｅｒ）」若しくは「単一フェース式（ｓｉｎｇｌｅ  ｆａｃｅｄ）」媒体と呼ばれる。これらの用語及びこれらの変化形は、各ストリップにおいて、フルート付き（典型的には、波形付き）シートの１つの面、すなわち、片面が外装シートに面しているという事実を意味するものである。
【００２０】
典型的には、コイル式媒体パックを作成するためのフルート付きシート／外装シートの組み合わせ（すなわち単一フェーサ）のストリップの巻き取りは、外装シートを外側に向かって導くことで行われる。巻き取りのいくつかの技術は、２００３年５月２日に出願された米国特許仮出願第６０／４６７，５２１号明細書、及び２００４年３月１７日に出願され、現在は国際公開第０４／０８２７９５号パンフレットとして公開されている、ＰＣＴ出願である米国特許出願第０４／０７９２７号明細書（これらはそれぞれ参照により本明細書中に組み込まれる）に記載されている。得られるコイル式構造は、結果として、全般的に、媒体パックの外部表面として、外装シートの一部分を有する。
【００２１】
媒体内の構造に言及するために本明細書中で使用される「波形付き」という用語は、２つの波形ローラの間、すなわち、２つのローラの間のニップ又はバイトへと媒体を送ることにより得られるフルート構造を意味するものとして多くの場合使用される。ローラはそれぞれ、得られた媒体に波形構造を生じさせるのに適した表面特徴を有する。しかしながら、「波形」という用語は、それらが波形ローラ間のバイトへの媒体の通過を伴う技術によるフルートから生じると明記されない限り、そのようなフルートに限定されるものではない。「波形付き」という用語は、例えば、２００４年１月２２日に公開されたＰＣＴ国際公開第０４／００７０５４号パンフレットに（参照により本明細書中に組み込まれる）記載されている折り曲げ技術によって、波形を付けた後に媒体を更に修正する又は変形する場合にも当てはまるものとする。
【００２２】
波形付き媒体はフルート付き媒体の特定の形態である。フルート付き媒体は、媒体全体に延びる個々のフルート又はリッジ（例えば、波形を付けること又は折り曲げることによって形成される）を有する媒体である。
【００２３】
ｚフィルタ媒体を用いる保守可能フィルタエレメント又はフィルタカートリッジ構成は、「直流フロー構成（ｓｔｒａｉｇｈｔ  ｔｈｒｏｕｇｈ  ｆｌｏｗ  ｃｏｎｆｉｇｕｒａｔｉｏｎ）」又はその変化形で呼ばれることがある。概して、本文脈においてそれが意味することは、保守可能フィルタエレメント又はカートリッジが全般的に、入口側流れ端部（又は面）と対向する出口流れ端部（又は面）とを有し、このフィルタカートリッジに流れが略同じ直流方向に出入りするというものである。「保守可能（ｓｅｒｖｉｃｅａｂｌｅ）」という用語は、本文脈においては、対応する流体（例えば空気）クリーナから定期的に取り外され、交換される媒体を含むフィルタカートリッジを意味するものである。いくつかの例では、入口側流れ端部（又は面）と出口流端部（又は面）とのそれぞれは略平ら又は平坦であり、この２つは互いに平行である。しかしながら、この変形形態、例えば、非平面面も可能である。
【００２４】
（特にコイル式又はスタック式媒体パックにおける）直流フロー構成は、例えば、流れが媒体に入るとき及び出るときに流れが全般的に大きく向きを変える、米国特許第６，０３９，７７８号明細書（参照により本明細書中に組み込まれる）に示されている種類の円筒状プリーツ型フィルタカートリッジなどの、保守可能フィルタカートリッジとは対照的である。つまり、米国特許第６，０３９，７７８号明細書のフィルタでは、流れは円筒状フィルタカートリッジに円筒側部から入り、その後、向きを変えて媒体の開端部から出る（順流システム）。典型的な逆流システムでは、流れは保守可能円筒状カートリッジに媒体の開端部から入り、その後、向きを変えて円筒状フィルタ媒体の側部から出る。このような逆流システムの例は、参照により本明細書中に組み込まれる米国特許第５，６１３，９９２号明細書に示されている。
【００２５】
「ｚフィルタ媒体構造」という用語及びその変化形は、本明細書で使用する場合、単に、以下の一部又は全部を含むが、必ずしもこれらに限定されないことが意図されている：シートが別々であるか単一ウェブの一部であるかを問わず、適切なシーリング（クロージャ）によって（外装）媒体に固定され、入口フルート及び出口フルートの画定を可能にする波形付き若しくはそうでなければフルート付き媒体（媒体リッジを有する媒体）のウェブ、並びに／又はこのような媒体から入口フルート及び出口フルートの３次元ネットワークへと構築された若しくは形成された媒体パック、並びに／又はこのような媒体パックを含むフィルタカートリッジ若しくは構造。
【００２６】
図１では、ｚフィルタ媒体構造において使用可能な媒体１の例が示されている。媒体１は、フルート付き、この例では波形付きシート３と、外装シート４と、から形成されている。媒体１などの構造は、本明細書中では、単一フェーサ又は単一フェース式ストリップと呼ばれる。
【００２７】
時として、波形フルート付き又はリッジ付きシート３（図１）は、本明細書中では、規則的な、湾曲した、波パターンのフルート、リッジ又は波形７を有するものとして一般に特徴付けられる種類のものである。「波パターン」という用語は、本文脈では、トラフ７ｂとリッジ７ａとが交互するフルート、リッジ又は波形付きパターンを意味するものである。「規則的な」という用語は、本文脈では、トラフとリッジ（７ｂ、７ａ）の対がほぼ同じ繰り返し波形（フルート又はリッジ）形状及び大きさで交互することを意味するものである。（また、典型的には、規則的な構成においては、各トラフ７ｂは実質的に各リッジ７ａに対し反転したリッジである）。「規則的な」という用語は、したがって、波形（又はフルート）パターンがトラフ（反転したリッジ）とリッジとを含み、その各対（隣接するトラフとリッジとを含む）が、フルートの長さの少なくとも７０％の波形の大きさ及び形状に大幅な変更なしに繰り返すことを示すものである。「大幅な（ｓｕｂｓｔａｎｔｉａｌ）」という用語は、本文脈では、媒体シート３が可撓性であることによるわずかな変更とは対照的に、波形付き又はフルート付きシートを作成するために使用されるプロセス又は形態の変化からもたらされる変更を意味する。繰り返しパターンの特性については、任意の所与のフィルタ構造において、同数のリッジとトラフとが必ずしも存在するというわけではない。媒体１は、例えば、リッジとトラフとを含む対の間で、又はリッジとトラフとを含む対に一部沿って終端され得る。（例えば、図１では、部分的に示されている媒体１は、８つの完全なリッジ７ａと７つの完全なトラフ７ｂとを有する）。また、対向するフルート端部（トラフの端部及びリッジの端部）は互いに異なっていてもよい。これら定義において、このような端部の変形形態は特に明示されない限り無視される。つまり、フルートの端部の変形形態は上記定義に包含されることが意図される。
【００２８】
波形構造の「湾曲した」波パターンの特性の文脈では、特定の場合において、波形パターンは媒体に折り曲げた又はひだを付けた形状を施した結果ではなく、むしろ、各リッジの頂点７ａ及び各トラフの底部７ｂは丸みのある曲線に沿って形成される。このようなｚフィルタ媒体の典型的な半径は少なくとも０．２５ｍｍ、典型的には、３ｍｍ以下である。
【００２９】
波形付きシート３の図１に示される特定の規則的な、湾曲した波パターンの更なる特性は、各トラフと各隣接するリッジとの間のほぼ中間点３０に、フルート７の長さの大部分に沿って、湾曲が反転する移行領域があることである。例えば、裏側又は面３ａ（図１）を見ると、トラフ７ｂは凹状領域であり、リッジ７ａは凸状領域である。当然、前側又は面３ｂに向かって見ると、側３ａのトラフ７ｂはリッジを形成しており、面３ａのリッジ７ａはトラフを形成している。（いくつかの例では、領域３０は、セグメント３０の端部の湾曲が反転する点である代わりに、直線セグメントであり得る）。
【００３０】
図１に示す特定の規則的な波パターンフルート付き（この例では波形付き）シート３の特性は、代替物は可能であるものの、個々の波形、リッジ又はフルートが略直線ということである。「直線」とは、本文脈では、長さの少なくとも７０％、典型的には少なくとも８０％にわたって、リッジ７ａ及びトラフ（又は反転したリッジ）７ｂの断面が大幅に変化しないことを意味する。図１に示される波形パターンに関する「直線」という用語は、参照により本明細書中に組み込まれる、２００３年６月１２日に公開された国際公開第９７／４０９１８号パンフレット及びＰＣＴ公報国際公開第０３／４７７２２号パンフレットの図１に記載されている波形付き媒体のテーパ状フルートのパターンと一部区別される。国際公開第９７／４０９１８号パンフレットの図１のテーパ状フルートは、本明細書中で使用する用語では、例えば、湾曲した波パターンであり、「規則的な」パターンでも直線フルートのパターンでもない。
【００３１】
本図１を参照すると、また、上で述べたように、媒体１は第１及び第２の対向する縁部８及び縁部９を有する。媒体１が媒体パックへと形成されると、概して、縁部９は媒体パックの入口側端部又は面を形成し、縁部８は出口側端部又は面を形成するが、逆の配向も可能である。
【００３２】
示される例では、各種フルート７は対向する縁部８と縁部９との間の全体に延びるが、別の形態も可能である。例えば、各種フルート７は縁部に隣接する又は近い位置まで延びることができるが、縁部を完全には貫通しない。また、各種フルート７は、例えば、参照により本明細書中に組み込む米国特許出願公開第２０１４／０２０８７０５Ａ１号明細書の媒体におけるように、媒体の途中で停止及び開始することができる。
【００３３】
図１に示されるような媒体である場合、縁部８に隣接して、シーラントビード１０を提供することができる。シーラントビード１０は、波形付きシート３と外装シート４とをともに密閉する。ビード１０は、「単一フェーサ」又は「単一フェース」ビード又はその変化形で呼ばれる場合があるが、これは、ビード１０が、単一フェーサ（単一フェース式）媒体ストリップ１を形成する波形付きシート３と外装シート４との間のビードであることが理由である。シーラントビード１０は、空気をフルート１１から（又は逆の流れではフルート１１に）通すために、縁部８に隣接する個々のフルート１１を密封する。
【００３４】
図１に示される媒体において、縁部９に隣接して、シールビード１４が提供されている。シールビード１４は、未濾過の流体をフルート１５から通す（又は逆の流れではフルート１５内において流す）ために、縁部９に隣接するフルート１５をほぼ閉じている。ビード１４は典型的には、媒体１が媒体パックへと構成される際に適用される。媒体パックがストリップ１のスタックから作製される場合、ビード１４は、外装シート４の裏側１７と、次に隣接する波形付きシート３の側面１８との間にシールを形成する。媒体１がストリップに切断され、巻き取られるのではなく積み重ねられる場合、ビード１４は「積み重ねビード（ｓｔａｃｋｉｎｇ  ｂｅａｄ）」と称される。（ビード１４が、媒体１の長いストリップから形成されたコイル式構造において使用される場合、ビード１４は、「巻いたビード（ｗｉｎｄｉｎｇ  ｂｅａｄ）」と称され得る）。
【００３５】
別の種類のスルーフロー媒体においては、シール材を異なるように配置することができ、シーラント又は接着剤の添加を回避さえすることができる。例えば、場合によっては、媒体は折り曲げて端部若しくは縁部シームを形成することができる、又は媒体は超音波適用等などの別の技術によって密閉することができる。更に、シーラント材が用いられる場合でも、シーラント材は対向端部に隣接する必要はない。
【００３６】
図１を参照すると、フィルタ媒体１が、例えば、積み重ね又は巻き取りによって媒体パックに組み込まれると、フィルタ媒体１は以下のように操作され得る。まず、矢印１２の方向の空気が、端部９に隣接する開放フルート１１に入る。ビード１０による端部８の閉鎖によって、空気は、例えば、矢印１３によって示されるようにフィルタ媒体１を通過する。空気は、その後、媒体パックの端部８に隣接するフルート１５の開端部１５ａを通過することによって媒体又は媒体パックを出ることができる。当然、操作は反対方向の空気流において行うこともできる。
【００３７】
本明細書の図１に示されている特定の構造では、平行波形７ａ、７ｂは縁部８から縁部９まで媒体全体にわたって略直線である。直線フルート、リッジ又は波形は選択した位置、特に端部において変形され得る又は折り曲げられ得る。閉鎖のためのフルート端部の修正については、「規則的な」、「湾曲した」及び「波パターン」の上記定義においてほぼ無視される。
【００３８】
直線の規則的な湾曲した波パターン波形形状を用いないｚフィルタ構造が知られている。例えば、Ｙａｍａｄａらの米国特許第５，５６２，８２５号明細書では、幾分半円状の（断面）入口フルートを、細いＶ字形の（湾曲した側面を有する）出口フルートに隣接して用いる波形パターンが示されている（米国特許第５，５６２，８２５号明細書の図１及び図３を参照のこと）。Ｍａｔｓｕｍｏｔｏらの米国特許第５，０４９，３２６号明細書では、チューブの半分を有する１つのシートを、チューブの半分を有する別のシートに取り付けることによって画定され、得られる平行直線フルート間に平らな領域を有する円形（断面）又は管形フルートが示されている。Ｍａｔｓｕｍｏｔｏの米国特許第５，０４９，３２６号明細書の図２を参照のこと。Ｉｓｈｉｉらの米国特許第４，９２５，５６１号明細書（図１）では、矩形断面を有するように折り曲げられたフルートが示されており、このフルートは、その長さに沿ってテーパしている。国際公開第９７／４０９１８号パンフレット（図１）では、湾曲した波パターン（隣接する湾曲した凸状及び凹状トラフから）を有しているが、その長さに沿ってテーパしている（したがって、直線ではない）フルート又は平行波形構造が示されている。また、国際公開第９７／４０９１８号パンフレットでは、湾曲した波パターンを有しているが、異なる大きさのリッジ及びトラフを有するフルートが示されている。また、種々のリッジを含むように形状を変更したフルートが知られている。
【００３９】
概して、フィルタ媒体は比較的可撓性の材料であり、典型的には、多くの場合、更なる材料で処理されることのある樹脂を内部に含む（セルロース繊維、合成繊維又はこの両方の）不織繊維質材料である。したがって、フィルタ媒体は、容認できない媒体の損傷なく種々の波形パターンへと適合させることができる又は構成することができる。また、フィルタ媒体は、同じく、容認できない媒体の損傷なく使用するために、容易に巻き取ることができる又はそれ以外の手法で構成することができる。当然、フィルタ媒体は、使用時、必要な波形構成を維持するような性質のものでなければならない。
【００４０】
典型的には、波形を付ける工程では、媒体に非弾性変形を生じさせる。これにより、媒体がその元の形状に戻ることを防止する。しかしながら、張力が解放されると、フルート又は波形構造は跳ね返る傾向があり、生じた伸張及び湾曲の一部のみが回復する。波形付きシートのこの跳ね返りを阻止するために、フルート付き媒体シートに外装媒体シートが取り付けられる場合がある。このような取り付けは参照符号２０で示される。
【００４１】
また、典型的には、媒体は樹脂を含む。波形を付ける工程時、媒体はこの樹脂のガラス転移点を超えるまで加熱することができる。その後、この樹脂を冷却すると、フルート付き形状を維持するのを補助する。
【００４２】
波形付き（フルート付き）シート３、外装シート４又はこの両方の媒体には、その片面又は両面に、例えば、参照により本明細書中に組み込まれる米国特許第６，６７３，１３６号明細書による微細繊維材料が付与され得る。いくつかの例では、このような微細繊維材料が使用される場合、材料の上流側及びフルートの内部に微細繊維を付与することが望ましい場合がある。これが行われた場合、濾過中の空気の流れは、典型的には、積み重ねビードを含む縁部へと向かう。
【００４３】
ｚフィルタ構造に関する課題は、個々のフルート端部の閉鎖に関係する。代替物は可能であるものの、典型的には、閉鎖の実施にはシーラント又は接着剤が提供される。上記説明から明らかなように、特に、テーパ状フルートとは対照的に直線フルート、及びフルートシールにシーラントを用いる典型的なｚフィルタ媒体においては、上流側端部と下流側端部との両方に広いシーラント表面積（及び体積）が必要である。結果的に得られる媒体構造の適切な動作にとって、これら位置における高品質のシールが重要である。このことに関して、高いシーラント体積及び面積は問題を生じさせる。
【００４４】
ここで、図２を参照されたい。図２は、ｚフィルタ媒体、すなわち、規則的な湾曲した波パターンの波形付きシート４３と、波形が付けられていない平らなシート４４、すなわち単一フェーサストリップと、を用いたｚフィルタ媒体構造４０を概略的に示す。点５０と点５１との間の距離Ｄ１は、所与の波形付きフルート５３の下方の領域５２における平らな媒体４４の伸張範囲を画定する。同じ距離Ｄ１における波形付きフルート５３の弧状媒体の長さＤ２は、波形付きフルート５３の形状のため、当然、Ｄ１よりも大きい。フルート付きフィルタ用途において用いられる典型的な規則的な形状の媒体においては、点５０と点５１との間の媒体５３の直線長さＤ２は、Ｄ１の少なくとも１．２倍であることが多い。典型的には、Ｄ２はＤ１の１．２〜２．０倍（境界値を含む）の範囲内である。エアフィルタの特に便利な構造の１つは、Ｄ２が約１．２５〜１．３５ｘＤ１である構成を有する。このような媒体は、例えば、Ｄｏｎａｌｄｓｏｎ  Ｐｏｗｅｒｃｏｒｅ（商標）ｚフィルタ構造において商業的に用いられてきた。別の便利な可能性のある大きさはＤ２がＤ１の約１．４〜１．６倍のものである。本明細書中では、比率Ｄ２／Ｄ１は、波形付き媒体のフルート／平坦部の比率又は媒体の延伸量（ｍｅｄｉａ  ｄｒａｗ）として特徴付けられる場合がある。
【００４５】
段ボール業界では、様々な規格のフルートが規定されてきた。例えば、規格Ｅフルート、規格Ｘフルート、規格Ｂフルート、規格Ｃフルート、及び規格Ａフルートなどである。添付の図３は、以下の表Ａと併せて、これらフルートの規定を記載する。
【００４６】
本開示の譲受人であるＤｏｎａｌｄｓｏｎ  Ｃｏｍｐａｎｙ，Ｉｎｃ．，（ＤＣＩ）は、種々のｚフィルタ構造において規格Ａフルート及び規格Ｂフルートの変形形態を使用してきた。これらフルートもまた、表Ａ及び図３で定義される。
【００４７】
【表Ａ】
2020532411.tif 000002
【００４８】
当然、段ボール箱業界の他の規格、フルートの規定も知られている。
【００４９】
一般に、段ボール箱業界のフルート構成規格を使用して、波形付き媒体の波形形状又は略波形形状を規定することができる。ＤＣＩ  Ａフルート及びＤＣＩ  Ｂフルート、並びに段ボール業界の規格フルートＡ及び規格Ｂフルートの間の上記比較は、いくつかの便利な変形形態を示す。
【００５０】
２００８年６月２６日に出願され、米国特許出願公開第２００９／０１２７２１１号明細書として公開された米国特許出願第１２／２１５，７１８号明細書、２００８年２月４日に出願され、米国特許出願公開第２００８／０２８２８９０号明細書として公開された米国特許出願第１２／０１２，７８５号明細書、及び／又は米国特許出願公開第２０１０／００３２３６５号明細書として公開された米国特許出願第１２／５３７，０６９号明細書において特徴付けられているものなどの別のフルート規定を、本明細書の以下で特徴付けられるエアクリーナ特徴とともに使用することができることに留意されたい。米国特許出願公開第２００９／０１２７２１１号明細書、米国特許出願公開第２００８／０２８２８９０号明細書及び米国特許出願公開第２０１０／００３２３６５号明細書それぞれの開示全体は参照により本明細書中に組み込まれる。
【００５１】
スタック式又はコイル式形態のいずれかにおける、本開示による構造に使用さすることができる外装媒体が固定されたフルート付き媒体を含む別の媒体変形形態は、参照により本明細書中に組み込まれる、Ｂａｌｄｗｉｎ  Ｆｉｌｔｅｒｓ，Ｉｎｃ．によって所有されており、２０１４年７月３１日に公開された米国特許出願公開第２０１４／０２０８７０５Ａ１号明細書に記載されている。
【００５２】
Ｂ．図１〜図３の媒体を含む媒体パック構成の製造（図４〜図７を参照）
図４では、ストリップ１（図１）に相当する媒体ストリップ（単一フェーサ）を作製するための製造プロセスの一例を示す。概して、外装シート６４とフルート６８を有するフルート付き（波形付き）シート６６とが合わせられ、媒体ウェブ６９を形成する。外装シート６４とフルート６８を有するフルート付き（波形付き）シート６６との間の参照符号７０に接着剤ビードが配置される。接着剤ビード７０は単一フェーサビード１０（図１）を形成する。ウェブの中央に配置される中央ダーツ付きセクション７２を形成するために、ステーション７１において、任意のダーツ付与プロセスが行われる。参照符号７５において、ビード７０に沿ってｚフィルタ媒体又はＺ媒体ストリップ７４を切断するか細長く切り、ｚフィルタ媒体７４の２つの片又はストリップ７６、７７を作成することができる。このそれぞれは、波形の付いたシートと外装シートとの間にシーラント（単一フェーサビード）のストリップが延在する縁部を有する。当然、任意のダーツ付与プロセスが使用される場合、シーラント（単一フェーサビード）のストリップを有する縁部はまた、この位置においてダーツが付与されたフルート一式を有する。
【００５３】
図４に関し特徴付けられたプロセスを実施するための技術は、参照により本明細書中に組み込まれる、２００４年１月２２に公開されたＰＣＴ国際公開第０４／００７０５４号パンフレットに記載されている。
【００５４】
引き続き図４を参照すると、ｚフィルタ媒体７４がダーツ付与ステーション７１を通過し、最終的に参照符号７５において細長く切られる前に、ｚフィルタ媒体７４を形成しなければならない。図４に示す概略図では、これはフィルタ媒体９２のシートを一対の波形ローラ９４、９５内に通すことにより行われる。図４に示す概略図では、フィルタ媒体９２のシートはロール９６から巻き出され、テンションローラ９８に巻回され、その後、波形ローラ９４、９５間のニップ又はバイト１０２に通される。波形ローラ９４、９５は歯１０４を有し、歯１０４は、平らなシート９２がニップ１０２を通過した後、波形構造のほぼ所望の形状を付与する。ニップ１０２を通過した後、シート９２は機械の方向にわたって波形が付けられた状態になり、波形付きシートとして参照符号６６で参照される。波形付きシート６６は、その後、外装シート６４に固定される。（いくつかの例では、波形を付けるプロセスには媒体の加熱を伴ってもよい）。
【００５５】
更に図４を参照すると、プロセスは、また、ダーツ付与プロセスステーション７１へと送られる外装シート６４を示す。外装シート６４は、ロール１０６上で保管され、後に、波形付きシート６６へと案内され、Ｚ媒体７４を形成するものとして示されている。波形付きシート６６と外装シート６４とは、典型的には、接着剤によって又は他の手段によって（例えば、音波溶接によって）互いに固定される。
【００５６】
図４を参照すると、波形付きシート６６と外装シート６４とを互いに固定するために用いられる接着線７０がシーラントビードとして示される。或いは、参照符号７０ａとして示されるように、外装ビードを形成するためのシーラントビードが塗布され得る。参照符号７０ａにおいてシーラントが塗布される場合、波形ローラ９５に、及び可能であれば、波形ローラ９４、９５の両方に、ビード７０ａを収容するための間隙を配することが望ましい場合がある。
【００５７】
当然、図４の設備は、所望であれば、タックビード２０（図１）を提供するように変更することができる。
【００５８】
波形付き媒体に付与される波形の種類は選択できるものであり、波形ローラ９４、９５の波形又は波形歯によって決定される。有用な波形パターンの１つは、本明細書中に上で定義した、直線フルート又はリッジの規則的な湾曲した波パターンの波形である。使用される典型的な規則的な湾曲した波パターンは、上で定義した波形パターンの距離Ｄ２が上で定義した距離Ｄ１の少なくとも１．２倍のものである。例示的な用途では、典型的には、Ｄ２＝１．２５〜１．３５ｘＤ１であるが、別のものも可能である。いくつかの例では、例えば、直線フルートを用いていない波パターンを含む「規則的」でない湾曲した波パターンを有する技術が適用されてもよい。また、図示されている湾曲した波パターンの変形形態が可能である。
【００５９】
記載されているように、図４に示すプロセスは、中央ダーツ付きセクション７２を作成するために使用することができる。図５は、ダーツを付与し、スリットを入れた後のフルート６８の１つを断面で示す。
【００６０】
４つのひだ１２１ａ、１２１ｂ、１２１ｃ、１２１ｄを有するダーツの付いたフルート１２０を形成するための折り目構成１１８が示され得る。折り目構成１１８は、外装シート６４に固定された平らな第１の層又は部分１２２を含む。第１の層又は部分１２２に押し付けられた第２の層又は部分１２４が示されている。第２の層又は部分１２４は、第１の層又は部分１２２の両外側端部１２６、１２７を折ることにより形成されることが好ましい。
【００６１】
更に図５を参照すると、折り目又はひだ１２１ａ、１２１ｂの２つは、本明細書中では一般に、「上部内側に向けられた」折り目又はひだと呼ばれる。この文脈における「上部」という用語は、折り目１２０を図５の向きで見た場合、ひだが折り目１２０全体の上部分に位置することを示すものである。「内側に向けられた」という用語は、各ひだ１２１ａ、１２１ｂの折線又はひだ線が他方に向けられていることを意味するものである。
【００６２】
図５では、ひだ１２１ｃ、１２１ｄは概して、本明細書では「下部外側に向けられた」ひだと呼ばれる。本文脈における「下部」という用語は、図５の向きにおいて、ひだ１２１ｃ、１２１ｄはひだ１２１ａ、１２１ｂのように頂部に位置しないことを意味する。「外側に向けられた」という用語は、ひだ１２１ｃ、１２１ｄの折線が互いから離れる方に向けられていることを示すものである。
【００６３】
本文脈において用いられる「上部」及び「下部」という用語は、特に、図５の向きから見た場合の折り目１２０を意味するものである。つまり、「上部」及び「下部」という用語は、折り目１２０が実際の製品において使用のために配向されているときの方向を示すものではない。
【００６４】
これら特性及び図５の考察に基づくと、本開示の図５による規則的な折り目構成１１８は、少なくとも２つの「上部内側に向けられたひだ」を含むものであるということが示され得る。これら内側に向けられたひだは特有のものであり、折り重ねが隣接するフルートに大きく入り込むこととならない全体的構成の提供を補助する。
【００６５】
第３の層又は部分１２８がまた、第２の層又は部分１２４に押し付けられて示され得る。第３の層又は部分１２８は、第３の層１２８の反対側の内側端部１３０、１３１から折ることによって形成されている。
【００６６】
折り目構成１１８を見る別の手法は、波形付きシート６６の交互するリッジとトラフの幾何学的配置を参照することである。第１の層又は部分１２２は反転したリッジから形成されている。第２の層又は部分１２４は、反転したリッジに向かって折り曲げられた、及び好適な構成では、反転したリッジとは逆に折り曲げられた二重ピーク（リッジの反転後）に相当する。
【００６７】
図５に関して好ましい手法で記載されている任意のダーツを設けるための技術は、参照により本明細書中に組み込まれるＰＣＴ国際公開第０４／００７０５４号パンフレットに記載されている。媒体を巻き取るための技術は、巻いたビードの適用とともに、２００４年３月１７日に出願され、国際公開第０４／０８２７９５号パンフレットとして公開されており、参照により本明細書中に組み込まれるＰＣＴ出願米国特許出願第０４／０７９２７号明細書に記載されている。
【００６８】
閉じたフルート付き端部にダーツを付与する別の手法も可能である。このような手法には、例えば、各フルートの中央に配置されないダーツを付与することと、種々のフルートにわたって圧延すること、プレスすること又は折ることと、を含み得る。概して、ダーツ付与には、圧縮され閉じた状態を実現するために、フルート付き端部に隣接する媒体を折ること又はそうでなければ操作することを含む。
【００６９】
本明細書中に記載される技術は、波形付きシート／外装シートの組み合わせ、すなわち、「単一フェーサ」ストリップを含む１つのシートを巻き取るステップから得られる媒体パックにおける使用に特に十分に適応させたものである。しかしながら、これらはまた、スタック構造へと作成することもできる。
【００７０】
コイル式媒体又は媒体パック構造には、種々の周辺周囲の定義が与えられ得る。本文脈においては、「周辺周囲の定義」という用語及びその変化形は、媒体又は媒体パックの入口側端部又は出口側端部のいずれかを見たときに画定される外側周囲形状を意味するものである。典型的な形状はＰＣＴ国際公開第０４／００７０５４号パンフレットに記載されているような円形である。他の使用可能な形状は長楕円であり、長楕円のいくつかの例は楕円形である。一般に、楕円形は、一対の対向する辺によって取り付けられた対向する湾曲端部を有する。いくつかの楕円形では、対向する辺もまた湾曲している。レーストラック形状と呼ばれることがある他の楕円形では、対向する辺は略直線である。レーストラック形状については、例えば、ＰＣＴ国際公開第０４／００７０５４号明細書及び国際公開第０４／０８２７９５号パンフレットとして公開されているＰＣＴ出願米国特許出願第０４／０７９２７号明細書（このそれぞれは参照により本明細書中に組み込まれる）に記載されている。
【００７１】
周辺又は周囲形状を記載する別の手法は、コイルの巻きアクセス（ｗｉｎｄｉｎｇ  ａｃｃｅｓｓ）に直交する方向に媒体パックの断面をとることにより得られる周囲を画定することによるものである。
【００７２】
媒体又は媒体パックの対向する流れ端部又は流れ面には、種々の異なる定義が与えられ得る。多くの構造では、端部又は端面は略平ら（平坦）であり、互いに垂直である。他の構造では、端面の１つ又は両方は、テーパ状の、例えば、段付き部分を含み、この部分は、媒体パックの側壁の軸方向端部から軸方向に外側に突出するように画定されるか、媒体パックの側壁の端部から軸方向内側に突出するように画定されるか、のいずれかであり得る。
【００７３】
フルートシール（例えば、単一フェーサビード、巻いたビード又は積み重ねビードによる）は、種々の材料から形成され得る。引用され且つ組み込まれる様々な参照文献では、種々の用途において可能なものとしてホットメルト又はポリウレタンシールが記載されている。
【００７４】
図６では、単一フェース式媒体の単一ストリップを巻き取ることによって構成されたコイル式媒体パック（又はコイル式媒体）１３０が全体として示されている。図示されている特定のコイル式媒体パックは楕円形媒体パック１３０ａであり、具体的には、レーストラック形状の媒体パック１３１である。媒体パック１３０の外側にある媒体の末端部は参照符号１３１ｘで示されている。利便性及び密閉のためにその末端部を媒体パック１３０の直線セクションに沿って終端することが一般的である。典型的には、ホットメルトシールビード又はシールビードは、密閉を確実とするためにその末端部に沿って配置されている。媒体パック１３０において、対向する流れ（端部）面は参照符号１３２、１３３で示される。１つは入口側流れ面、他方は出口側流れ面である。
【００７５】
図７では、積み重ね式ｚフィルタ媒体（又は媒体パック）を、ｚフィルタ媒体のストリップ（各ストリップは、外装シートに固定されたフルート付きシートである）から形成するステップを（概略的に）示している。図６を参照すると、ストリップ２００に類似しているストリップ２０２のスタック２０１に付加されている単一フェーサストリップ２００が示されている。ストリップ２００はストリップ７６、７７（図４）のいずれかから切り出すことができる。参照符号２０５（図６）には、ストリップ２００、２０２に相当する各層の間の、単一フェーサビード又はシールとは反対側の縁部における積み重ねビード２０６の適用が示されている。（積み重ねはまた、頂部とは逆に、スタックの底部に各層を付加することによって行うこともできる）。
【００７６】
図７を参照すると、各ストリップ２００、２０２は、前及び後縁部２０７、２０８と、対向する側縁部２０９ａ、２０９ｂと、を有する。各ストリップ２００、２０２を含む波形付きシート／外装シートの組み合わせの入口フルート及び出口フルートは全体として前縁部２０７と後縁部２０８との間に、且つ側縁部２０９ａ、２０９ｂに平行に延びる。
【００７７】
更に図７を参照すると、形成されている媒体又は媒体パック２０１において、対向する流れ面が参照符号２１０、２１１で示されている。濾過時、どちらの面２１０、２１１が入口側端面であるか、及びどちらが出口側端面であるかについての選択は、選択の問題である。いくつかの例では、積み重ねビード２０６は上流側又は入口面２１１に隣接して配置されており、他の例では、この逆も成り立つ。流れ面２１０、２１１は対向する側面２２０、２２１の間に延びる。
【００７８】
図７に形成中の状態で示される積み重ね媒体構成又はパック２０１は、本明細書中では、「ブロック式」積み重ね媒体パックと呼ばれることがある。本文脈における「ブロック式」という用語は、この構造が、すべての面が隣接する全壁面に対し９０°である矩形ブロックへと形成されることを示すものである。例えば、いくつかの例では、スタックを各ストリップ２００が隣接するストリップと位置合わせされた状態からわずかにずれた状態で作成し、平行四辺形又は傾斜ブロック形状を作成することができる。この形状では、入口面と出口面とが互いに平行であるものの、上面と底面に垂直ではない。
【００７９】
いくつかの例では、媒体又は媒体パックは任意の断面が、任意の２つの対向する側面が互いに対して略平行に延びることを意味する、平行四辺形を有するものとして参照される。
【００８０】
図７に相当するブロック式スタック構成は、参照により本明細書中に組み込まれる先行技術である米国特許第５，８２０，６４６号明細書に記載されていることに留意されたい。スタック構成は、米国特許第５，７７２，８８３号明細書；米国特許第５，７９２，２４７号明細書；２００３年３月２５日に出願された米国仮特許出願第６０／４５７，２５５号明細書；及び２００３年１２月８日に出願され、米国特許出願公開第２００４／０１８７６８９号明細書として公開された米国特許出願第１０／７３１，５６４号明細書に記載されていることにも留意されたい。これら後者の参考文献のそれぞれは参照により本明細書中に組み込まれる。米国特許出願公開第２００５／０１３０５０８号明細書として公開された米国特許出願第１０／７３１，５０４号明細書に示されているスタック構成は傾斜スタック構成であることに留意されたい。
【００８１】
いくつかの例では、１つより多いスタックを単一媒体パックに組み込むことができることにも留意されたい。また、いくつかの例では、例えば、参照により本明細書中に組み込まれる米国特許第７，６２５，４１９号明細書に示されているように、スタックは凹部を中に有する１つ以上の流れ面を備えて作成することができる。
【００８２】
Ｃ．フルート付き媒体の複数の離間したコイルを含む選択した媒体又は媒体パック構造、図８〜図８Ｂ
間に延びる対向する端部間のフルートを伴う別の種類の媒体構造又はパックを、本開示に従い選択した原理とともに使用することができる。このような別の媒体構造又はパックの一例が図８〜図８Ｂに示されている。図８〜図８Ｂの媒体は独国実用新案第２０  ２００８  ０１７  ０５９  Ｕ１号明細書に示され、記載されているもの、及びＭａｎｎ＆Ｈｕｍｍｅｌから「ＩＱＯＲＯＮ」の商品名で入手可能な構造に見られ得るものに類似している。
【００８３】
図８を参照すると、媒体又は媒体パックは全体として参照符号２５０で示されている。媒体又は媒体パック２５０は、第１の外部プリーツ付き（リッジ付き）媒体ループ２５１と、第２の内部プリーツ付き（リッジ付き）媒体ループ２５２と、を含み、このそれぞれは、対向する流れ端部の間に延びるプリーツ先端部（又はリッジ）を有する。図８の図は、媒体パック（流れ）端部２５５の方に向かうものである。示される端部２５５は、選択した流れの向きに応じて、入口（流れ）端部とすることも、出口（流れ）端部とすることもできる。フィルタカートリッジにおいて、媒体パック２５０を有することを特徴とする原理を用いた多くの構造は、端部２５５が入口側流れ端部であるように構成されている。
【００８４】
更に図８を参照すると、外部プリーツ付き（リッジ付き）媒体ループ２５１は楕円形で構成されているが、別のものも可能である。参照符号２６０には、プリーツ又はリッジ２５１の端部を媒体パック端部２５５において閉じる、例えば、現場成形される（ｍｏｌｄｅｄ  ｉｎ  ｐｌａｃｅ）プリーツ端部クロージャが示されている。
【００８５】
プリーツ又はリッジ２５２（及び関連するプリーツ先端部）は、ループ２５１によって囲まれ、且つループ２５１から離間した状態で配置されており、したがって、プリーツ付き媒体ループ２５２もまた、幾分楕円構成で示されている。この例では、ループ２５２内の個々のプリーツ又はリッジ２５２ｐの端部２５２ｅは閉じられて密封されている。また、ループ２５２は中心部２５２ｃを取り囲んでいる。中心部２５２ｃは、典型的には現場成形される材料の中心ストリップ２５３によって閉じられる。
【００８６】
濾過中、端部２５５が入口側流れ端部である場合、媒体２５１、２５２の２つのループ間の間隙２６５に空気が入る。空気は、その後、濾過によって媒体パック２５０を移動する際にループ２５１又はループ２５２のいずれかを流れる。
【００８７】
示される例では、ループ２５１は、端部２５５から離れる方に延びて、ループ２５２に向かって内側に傾斜して構成されている。また、センタリングリング２６７を支持しているスペーサ２６６が示されている。センタリングリング２６７は構造的完全性のためにループ２５２の端部を取り囲んでいる。
【００８８】
図８Ａでは、端部２５５の反対側のカートリッジ２５０の端部２５６を見ることができる。ここでは、開放ガス流領域２７０を取り囲むループ２５２の内部を見ることができる。カートリッジ２５０内を、ほぼ、端部２５６に向かい且つ端部２５５から離れる方向に空気が誘導されると、ループ２５２を通過する空気の一部は中心領域２７０に入り、中心領域２７０から端部２５６において出る。当然、濾過中、媒体ループ２５１（図８）に入った空気は、全般的に、端部２５６の外部周囲２５６ｐの周りに（上に）送られる。
【００８９】
図８Ｂでは、カートリッジ２５０の概略断面図を提供する。選択された、特定及び記載される特徴は、同様の参照番号によって示される。
【００９０】
図８〜図８Ｂ、上記記載の考察から、記載したカートリッジ２５０は、概して、対向する流れ端部２５５、２５６の間に長手方向に延びる媒体先端部を有するカートリッジであることは理解されよう。
【００９１】
図８〜図８Ｂの配置では、媒体パック２５０は楕円形、特に、レーストラック形状の周囲を有して示されている。以下の多くの例のエアフィルタカートリッジもまた楕円形又はレーストラック形状の構成を有することから、媒体パック２５０をこのように示している。しかしながら、この原理は種々の別の周辺形状において具現化され得る。
【００９２】
Ｄ．他の媒体変形形態、図９〜図１２Ｂ
本明細書中の図９〜図１２Ｂに、本明細書で特徴付けられる原理の選択した用途において使用され得る媒体種類の更に別の変形形態のいくつかの概略部分断面図が提供されている。特定の例は、２０１４年１１月１０日に出願され、本開示の譲受人であるＤｏｎａｌｄｓｏｎ  Ｃｏｍｐａｎｙ，Ｉｎｃ．によって所有されている米国特許出願第６２／０７７，７４９号明細書に記載されている。概して、図９〜図１２の構造のそれぞれは、直流フローの、対向する入口流端部と出口流端部（又は面）を有する構造へと積み重ねられ得る又は巻かれ得る媒体種類を示す。
【００９３】
図９には、米国特許出願第６２／０７７，７４９号明細書による例示的媒体構造３０１が示されている。媒体構造３０１では、エンボスシート３０２が非エンボスシート３０３に固定され、その後、媒体パックへと積み重ねられ且つ巻かれ、対向する縁部に沿って、本明細書中の図１において上述した種類のシールを有する。
【００９４】
図１０には、米国特許出願第６２／０７７，７４９号明細書による別の例示的な媒体パック３１０が示されている。媒体パック３１０では、第１のエンボスシート３１１が第２のエンボスシート３１２に固定され、その後、本明細書の図１にほぼ従う縁部シールを有するスタック式又はコイル式媒体パック構造へと形成される。
【００９５】
図１１には、米国特許出願第６２／０７７，７４９号明細書による第３の例示的媒体構造３２０が示されている。媒体構造３２０では、両側にエンボス加工されたシート３２１が類似する媒体の別の層３２２に固定されるが反転され、図１に幾分類似する縁部シールを有する媒体パック３２０へと積み重ねられる又は巻かれる。
【００９６】
縁部シールは、上流側端部若しくは下流側端部のいずれかに、又は場合によっては両方に導くことができる。特に、媒体が濾過中に化学物質に直面する可能性がある場合、典型的な接着剤又はシーラントを避けることが望ましい場合がある。
【００９７】
図１１Ａに、フルート付きシートＸがその上に、外装シートＹと係合するための各種隆起を有する断面が示される。同じく、これらは別々のもの、又は同一媒体シートのセクションであり得る。
【００９８】
図１１Ｂに、このような、フルート付きシートＸと外装シートＹとの間の構造の概略図がまた、示される。
【００９９】
図１１Ｃに、フルート付きシートＸと外装シートＹとの間のこのような原理の更に別の変形形態が示される。これらは、多種多様な手法がいかにして可能であるかの理解に役立つようになっているものである。
【０１００】
図１２Ａ及び図１２Ｂに、フルート付きシート６４０２が外装シート６４０３に固定された例示的な媒体構造６４０１が示される。外装シート６４０３は平らなシートであってもよい。その後、媒体構造６４０１は、媒体パックへと積み重ねること又は巻くことができ、対向する縁部に沿って、本明細書中の図１において上述した種類のシールを有する。示される実施形態では、フルート付きシート６４０２のフルート６４０４は、一連のピーク６４０５及び鞍部６４０６を含む波状の稜線を有する。隣接するフルート６４０４のピーク６４０５は、図１２Ａ及び図１２Ｂに示されるように整列することができる又はオフセットすることができる、のいずれかである。更に、ピークの高さ及び／又は密度は、フルート６４０４の長さに沿って増加し得る、減少し得る、又は一定に留まり得る。鞍部フルート高さに対するピークフルート高さの比率は、約１．５から、典型的には１．１から約１まで変化し得る。
【０１０１】
フルート付きシートセクションと外装シートセクションに同じ媒体を使用するという特定の要件はないことに留意されたい。異なる効果を得るために、それぞれにおいて異なる媒体が望ましい場合がある。例えば、一方はセルロース媒体であってもよく、他方はいくらかの非セルロース繊維を含む媒体である。これらは、所望の結果を達成するために、異なる気孔率又は異なる構造的特性を備えてもよい。
【０１０２】
様々な材料を使用することができる。例えば、フルート付きシートセクション又は外装シートセクションは、セルロース材料、合成材料、又はこれらの混合物を含むことができる。いくつかの実施形態では、フルート付きシートセクション及び外装シートセクションのうちの１つがセルロース材料を含み、フルート付きシートセクション及び外装シートセクションのうちのもう一方が合成材料を含む。
【０１０３】
合成材料としては、ポリオレフィン繊維、ポリアミド繊維、ポリエステル繊維、ポリ塩化ビニル繊維、ポリビニルアルコール繊維（様々な加水分解の程度の）、及びポリ酢酸ビニル繊維などの高分子繊維が挙げられ得る。適切な合成繊維としては、例えば、ポリエチレンテレフタレート繊維、ポリエチレン繊維、ポリプロピレン繊維、ナイロン繊維、及びレーヨン繊維が挙げられる。他の適切な合成繊維としては、熱可塑性ポリマー、熱可塑性ポリマーで被覆されたセルロース誘導体及びその他の繊維、並びに成分の少なくとも１つが熱可塑性ポリマーを含む多成分繊維から作製されたものが挙げられる。単一及び多成分繊維は、ポリエステル、ポリエチレン、ポリプロピレン、及びその他の従来の熱可塑性繊維質材料から製造され得る。
【０１０４】
図９〜図１２Ｂの例は、概して、本明細書の原理による様々な別の媒体パックを用いることができることを示すものである。いくつかの別の媒体種類の構造及び適用の一般原理に関しては、参照により本明細書中に組み込まれる米国特許出願第６２／０７７，７４９号明細書にも注目されたい。
【０１０５】
Ｅ．更に別の媒体種類
本明細書で特徴付けられる技術の多くは、濾過のために、カートリッジの対向する流れ端部の間に配向される媒体が、これら反対端の間の方向に延びるフルート又はプリーツ先端部を有する媒体である場合に適用されることが好ましい。しかしながら、別のものも可能である。シール構造の定義に関して本明細書で特徴付けられる技術は、対向する流れ端部を有し、これら端部の間の流体の流れを濾過するための媒体が配置されるフィルタカートリッジに、この媒体がこれら端部間の方向に延びるフルート又はプリーツ先端部を含まない場合であっても適用され得る。媒体は、例えば、デプス媒体とすることもでき、別の方向にプリーツを付けることもでき、又はプリーツ付きでない材料とすることもできる。
【０１０６】
実際、しかしながら、本明細書で特徴付けられる技術は、流れ端部間の伸張範囲が比較的深く、通常、少なくとも１００ｍｍ、典型的には、少なくとも１５０ｍｍ、多くの場合、少なくとも２００ｍｍ、時として、少なくとも２５０ｍｍ、及び場合によっては、３００ｍｍ以上であり、且つ使用時の大きな負荷量用に構成されているカートリッジにおいて使用すると特に有利な場合がある。これらの種類のシステムは、典型的には、媒体が対向する流れ端部の間の方向に延びるプリーツ先端部又はフルートを有して構成されるものである。
【０１０７】
ＩＩＩ．例示的なエアクリーナアセンブリ及び特徴、図１３〜図３５
図１３〜図３５には、本明細書で特徴付けられるように、本明細書において上で特徴付けたような媒体種類を有するフィルタカートリッジとともに使用可能な特徴を含む例示的なエアクリーナアセンブリが示される。上述の媒体変形形態を使用することができるが、これらからの変形形態は可能である。媒体の特定の選択は、コスト、組み立ての好み及び／又はフィルタ性能、効率又は寿命の好みの問題である。典型的には、選択される媒体は、図１の種類のものであり、２つの流れ面（又は端部）間における伸張の長さは、少なくとも１００ｍｍ、通常、少なくとも１５０ｍｍ、典型的には、少なくとも２００ｍｍ、時として、少なくとも２５０ｍｍである。実際、場合によっては、長さは少なくとも３００ｍｍ、或いは更にそれ以上であってもよい。
【０１０８】
Ａ．いくつかの全般的なエアクリーナ特徴、図１３〜図１７
参照符号４００（図１３）は、本開示による例示的なエアクリーナアセンブリを全体として示す。エアクリーナアセンブリ４００は、概して、ハウジング４０１を含む。例示的なハウジング４０１は本体４０２を含む。本体４０２はその上に、取り外し可能な保守又はアクセスカバー４０３を備える。保守又はアクセスカバー４０３によって、フィルタカートリッジなどの内部に受け入れられたコンポーネントへのアクセスを得ることができる。
【０１０９】
図１２を参照すると、エアクリーナ４００は、（この例では本体４０２上に配置されている）出口構造４０５を含む。出口構造４０５は、概して、濾過された空気をエアクリーナアセンブリ４００から、例においては出口４０５ｘを通じて出すために配置されている。出口構造又はアセンブリ４０５は、本体４０２の残りの部分とは別に作製し、本体４０２に取り付けることができる、又は出口構造又はアセンブリ４０５は、本体４０２の残りの部分と一体に形成させることができる。出口構造４０５が別個に作製される構造では、モジュラー組立方式を用いて、使用する異なるシステムのための別の出口構造４０５を提供することができる。
【０１１０】
本開示による種々の原理が提供される場合、ハウジング４０１は種々の材料から構成することができる。特徴付けられる特徴は、主として成形プラスチック構成要素から作製されるハウジングとの使用に特に十分に適応させたものである。図１３のハウジング４０１は、概して、このような構成要素であり、本体４０２などの選択されたハウジング特徴は、強度及び完全性のために、その上に様々な構造のリブ状部材（本明細書中では完全には詳述しない）を含むように作製することができ、例えば、参照により本明細書中に組み込む国際公開第２０１６／１０５５６０号パンフレットの構造を参照されたい。
【０１１１】
概して、ハウジング４０１は、空気流入口４０１ａを含むものとして特徴付けることができ、空気流入口構造４０１ａを通じて、濾過された空気がアセンブリ４００に入る。示されている特定のアセンブリ４００は、また、以下に記載する汚染物質排出ポート又はポート構造４２６を備えるプレクリーナを含む。
【０１１２】
図１４を参照すると、示されている特定のエアクリーナアセンブリ４００は２段式エアクリーナアセンブリ（ｔｗｏ−ｓｔａｇｅ  ａｉｒ  ｃｌｅａｎｅｒ  ａｓｓｅｍｂｌｙ）であり、その中にプレクリーナ４１０を含む。示される例では、プレクリーナ４１０は、例えば図１４で、以下に特徴付けられるような複数のセパレータチューブ４１１を含む。プレクリーナ４１０は、空気流によってエアクリーナアセンブリ４００へと運ばれる選択された物質（汚染物質）を、この空気がエアクリーナアセンブリ４００内に配置されたフィルタカートリッジに到達する前に事前除去するために使用可能である。このような事前除去は、概して、雨水若しくは水はね等のような液体粒子及び／又は種々の（特に大きな）粉じん若しくは他の粒子のかなりの排除につながる。プレクリーナ４１０の動作及びその好適な構成は、以下、本明細書中で記載する。示される特定の例のプレクリーナ４１０は、アクセスカバー４０３の一部分を含むことに留意されたい。このようなプレクリーナについては、参照により本明細書中に組み込む国際公開第２０１６／１０５５６０号パンフレットなどの参考文献に全般的に記載されている。
【０１１３】
本明細書で特徴が述べられる原理の多くは、その構成要素として配置されるプレクリーナを有しない、すなわち、プレクリーナが別個の構成要素である又は全く用いられないエアクリーナアセンブリに適用することができる。
【０１１４】
取付パッド構造が提供され得る。取付パッド構造によって、エアクリーナアセンブリ４００を使用のために機器に固定することができる。取付パッド構造は、概して、ハウジング本体４０２に取り付けられた（又はこれと一体成形された）複数の足又はパッドを含む。この例は図１６の参照符号４０９に示される。取付パッド又はパッド構造は、例えば、参照により本明細書中に組み込む国際公開第２０１６／１０５５６０号パンフレットに記載されているような、プラスチックエアクリーナ製造において一般的な手法で設けられ得る。
【０１１５】
図１４を再度参照すると、図示される特定のアクセスカバー４０３は、コネクタ構造４１７によって所定の位置に固定されており、図示される例では、一対のラッチ４１８を含む。当然、別の数若しくは位置を使用することはできる、及び／又は例えば、ボルト若しくは他の締結具を含む別のコネクタ構造を使用することはできる。
【０１１６】
図示される特定のエアクリーナハウジング４０１は、概して、長軸（軸又は空気流の全般的な方向に垂直な平面内の）と長軸に垂直な短軸とを有する断面形状を有する。図１４に、使用時、典型的には、断面の長軸が略垂直で取り付けられように、且つイジェクタ４２６が下に向けられるように構成されたエアクリーナアセンブリ４００が示される。本明細書中に記載される原理は、以下の説明から明らかなように、別の構造に適用することができる。
【０１１７】
図１３を再度参照すると、参照符号４２３に、出口構造４０５のポートが示される。ポート４２３は、絞りインジケータ又は他の機器のために使用することができる。加えて、所望であれば、マスエアフローセンサ（ＭＡＦＳ：ｍａｓｓ  ａｉｒ  ｆｌｏｗ  ｓｅｎｓｏｒ）構造を、出口構造４０５に、又は出口構造４０５から更に下流のダクト構造内に取り付けることができる。
【０１１８】
図１３において、汚染物質排出ポート構造４２６に注目されたい。（出口）ポート４２６構造は、ハウジング４０１及び内部カートリッジの上流からプレクリーナ４１０によって集められた微粒子及び／又は水（汚染物質）を除去するために配置されている。汚染物質排出ポート構造４２６は、概して、この機能のため汚染物質「排出」ポート又はポート構造として特徴付けることができる。汚染物質排出ポート構造４２６は、典型的には、ハウジング４０１の一部分に、使用時に下方向に向けられる状態で配向される。したがって、エアクリーナアセンブリ４００を取付パッド構造４０９に異なる状態で、例えば、対向する側に沿って取り付けることを望む場合、その側に更なる取付用構造を設けることが必要である、又は、ポート構造４２６を異なる位置に、若しくはハウジング本体内に、例えば、反対方向に配置することが必要である。
【０１１９】
一般的に、典型的な用途では、出口ポート構造４２６は、プレクリーナアセンブリ４１０からの材料の排出の重力補助のために下方向に向けられている。ポート構造４１０にはその中に排出部バルブアセンブリが提供され得る、又はポート構造４１０はプレクリーナ４１０からの物質の除去を容易にするために除去ダクトに取り付けてもよい。
【０１２０】
更に図１３を参照すると、示されている特定の汚染物質排出部ポート構造４２６はハウジング本体４０２に配置されていることに留意されたい。例えば、本明細書に記載された、選択された技術のいくつかの用途においては、別のアクセスカバーの一部分の別の位置も可能である。
【０１２１】
図１３を参照し、構造体４２６ｘに注目されたい。これは、例えば、エアクリーナ４００が、長軸が水平に向けられた状態で取り付けられる場合に考えられる別の排出出口位置を示す。示される特定の例では、ポート位置４２６ｘは、閉じられた状態で成形された構造体である。しかしながら、エアクリーナアセンブリ４００が長軸を水平にして使用するように構成される場合、ポート位置４２６ｘは開いた状態で、その上に、一次イジェクタポートとして動作する伸張部を有して成形することができ、イジェクタポート４２６は、閉じた状態で、典型的にはその上に管状伸張部のない状態で成形され得る。
【０１２２】
ここで、エアクリーナアセンブリ４００の分解斜視図である図１５に注目されたい。参照符号４０２に、ハウジング本体を示す。参照符号４０３に、アクセスカバーを示す。アクセスカバーは、この例ではプレクリーナ４１０を含む。示されているプレクリーナ４１０は、互いに固定された２つのシェル又はカバー構成要素、すなわち、以下で更に述べる外部（入口）カバー部４１０ａと、内部（出口チューブ）カバー部４１０ｂと、を含む。本明細書で特徴付けられるいくつかの用途においては、構成要素４１０ａ、４１０ｂはスナップフィットされる又は他の手法で互いに固定されるが、清掃を容易にするために分離可能であるように構成されている。しかしながら、本明細書で特徴付けられる技術のいくつかの用途においては、２つのカバー又はシェル構成要素４１０ａ、４１０ｂは組み立て時に再度分離できないように互いに固定することができる。
【０１２３】
プレクリーナ４１０の一般的な動作は、同じく、特定の物質（汚染物質）がエアクリーナに入る際にこれを分離し、ハウジング本体４０２の出口ポート４２６、及び内部に受け入れられたフィルタカートリッジコンポーネント（特に、媒体）の上流を通して排出することを可能にすることである。これにより、内部に受け入れられたフィルタカートリッジに特定の物質が到達することを阻止する。
【０１２４】
図１５では、参照符号４３０にフィルタカートリッジを示す。フィルタカートリッジ４３０は（概して）メイン又は一次フィルタカートリッジであり、使用時、プレクリーナ４１０によって分離されなかった微粒子又は封じ込め物質（ｃｏｎｔａｉｎｍｅｎｔ  ｍａｔｅｒｉａｌ）を選択的に分離する。カートリッジ４３０は、概して、保守部品（又は取り外し可能な構成要素）であり、すなわち、エアクリーナ４００の寿命の間、フィルタカートリッジ４３０は定期的に、取り外され、修理又は交換される。フィルタカートリッジ４３０はフィルタ又は濾過媒体４３１を含み、フィルタ又は濾過媒体４３１は、種々の種類のいずれか、例えば、本明細書の上記で特徴付けた種々のものであってもよい。本開示による原理とともに使用される典型的なカートリッジ４３０は「直流フロー」構造であり、この構造は、第１の（入口）流れ面又は端部４３２と、対向する第２の出口（流れ）面又は端部４３３と、を有し、フィルタカートリッジ４３０を通過する濾過する空気の流れは、概して、入口側端部４３２から外側端部４３３へと向かう。
【０１２５】
更に図１５を参照すると、示されている特定のエアクリーナアセンブリ４００は、任意の二次又は安全フィルタ４３５を含む。（任意の）安全又は二次フィルタ４３５は、概して、メインフィルタカートリッジ４３０と出口４０５ｘとの間に配置されている。典型的な配置においては、（任意の）二次フィルタカートリッジ４３５はエアクリーナアセンブリ４００内に着脱可能に配置されており、保守用構成要素であり得る。しかしながら、二次フィルタカートリッジ４３５は、典型的には、使用時、非常に著しい粉じん負荷にはさらされず、もし交換するとしてもまれにしか交換しなくてもよい。メインフィルタカートリッジ４３０が取り外された場合でも安全フィルタ４３５が適所にとどまり、内部構成要素を粉じんから保護することができるため、安全フィルタ４３５がメインカートリッジ４３０から構造的に分離することは有利な特徴である。
【０１２６】
図１６に、入口側端部立面図を示す。前述した特徴は、各種フローチューブ４１１を有するプレクリーナ４１０を含むアクセスカバー４０３と、ラッチ４１８と、イジェクタポート構造４２６と、を含む。
【０１２７】
ここで、上で参照した任意の取付ポスト４０９も示す。
【０１２８】
図１７に、図１６の線１７−１７に沿って概ね取った断面図が示される。ここで、選択した前述の特徴を以下に示す：本体４０２とアクセスカバー４０３とを含むハウジング４０１を有するエアクリーナアセンブリ４００；内部に配置されたメインフィルタカートリッジ４３０；安全カートリッジ４３５；出口ポート４０５ｘを有する出口構造４０５；及びダストイジェクタポート構造４２６。入口側端部４０１ａに入る空気はダストイジェクタチューブ４１１に導かれる。チューブ４１１の最初に遭遇する部分において、空気はベーン構造４１１ｖによりサイクロン流へと導かれる。空気はスピンしてベーン構造４１１ｖを出、以下で説明するスライドスロットを通して汚染物質を排出させ、最終的に、汚染物質を、ポート構造４２６によって／を通して排出されるように導く。その後、残った空気流は、出口セクション４１１ｅを通して（に）導かれ、ほぼ矢印４３７の方向の下流に更に導かれ、メインフィルタ構造４３０の入口側端部４３１に入る。メインフィルタ４３０カートリッジ内の媒体によって濾過された空気は端部４３３で出て、その後、安全フィルタカートリッジ４３５の媒体４３５ｍに入る。安全カートリッジ４３５を通過すると、その後、空気は出口４０５ｘに導かれる。
【０１２９】
メインフィルタカートリッジ４３０とハウジング４０１との間にシール構造を設けることが望ましい。示される例では、シール構造（詳述せず）は、以下で説明する周囲軸方向ピンチシールを含む。図１７Ａを参照すると、密閉は、ハウジング本体４０２の一部分又はシェルフ４９０とアクセスカバー４０３の一部分又は先端４９７との間で圧縮されるシール（図示せず）の圧縮によって起こる。
【０１３０】
好ましくは、安全カートリッジはハウジング本体４０２に対しても密閉される。このようなシールは、以下で説明するシール構造４４０（図１７）によって提供されることが好ましい。
【０１３１】
図１７及び図１７Ａは、シール部材（図示せず）が配置され、部品間の当接が起こる領域において、正確ではなく概略であることに留意されたい。これらは一般的な位置を示すものであり、これら領域の特定の特徴を示すものではない。
【０１３２】
Ｂ．任意の安全フィルタカートリッジ、図１８及び図１９
図１８及び図１９を参照すると、任意の安全フィルタカートリッジ４３５が示されている。図１８を参照すると、安全フィルタカートリッジ４３５は、フレーム構造４４１内に固定された媒体４３５ｍ（例では、プリーツ付き媒体だが別のものは可能である）を含む。フレーム構造４１１は、例えば、成形プラスチック構造体を含んでもよく、成形プラスチック構造体は、成形中にそれに固定される媒体４３５ｍを有する。モールディング４４１の周囲位置に配置されたシール構造４４０が示されている。示される例では、シール構造４４０は、外側に向けられた径方向シールを含む。すなわち、シール構造４４０は、外部周囲縁部に沿って密閉され、ハウジング４０１の一部を包囲するように構成されている。別の構造では、この位置に軸方向ピンチシール（シール構造がハウジング構成要素間に挟まれる）を使用することができるが、典型的には、径方向シールが好まれる。
【０１３３】
図１８を更に参照すると、モールディング４４１は、プリーツスペーサ構造４４２及びハンドル構造４４３を含むことに留意されたい。ハンドル構造４４３は、図示される例では、カートリッジ４３５が取り付けられると上流を向く２つのハンドル部材を含む。図１７の視点では、ハンドル構造４４３がメインフィルタカートリッジ４３０に向かって突出しているのを見ることができる。
【０１３４】
図１９に、カートリッジの出口側又は下流側端部に向かって概ね取られたカートリッジ４３５の別の図が示される。既に特徴を述べた、図１９で見ることができる特徴は、媒体４３５ｍ、シール構造４４０、成形されたフレーム構造４４１、プリーツスペーサ４４２、及びハンドル構造４４３を含む。
【０１３５】
Ｃ．メインフィルタカートリッジ特徴（全般的な）、図２０〜図２３Ａ
図１５を再度参照すると、示されているように、示されるアセンブリ４００は、特徴付けられているように、メインフィルタカートリッジ４３０を含む。メインフィルタカートリッジ４３０は、同じく、保守部品であり、使用時、エアクリーナ４００が使用されると、通常、粉じん及び他の汚染物質を負荷する。やがて、メインフィルタカートリッジが十分に閉塞すると、アクセスカバー４０３を開き、フィルタカートリッジ４３０を取り外し、その後、それを修理するかそれを交換するかのいずれかによるエアクリーナ４００の保守が許可される。いくつかの例では、この作業にはまた、任意の安全フィルタ４３５がある場合には任意の安全フィルタ４３５の取り外し及び交換又は修理を伴うことがあるが、多くの場合、安全フィルタ４３５はない。
【０１３６】
一般的に、メインフィルタカートリッジ４３０は透過性フィルタ媒体（媒体パック４６０）を含み、透過性フィルタ媒体（媒体パック４６０）は、空気がそこを通らなければならないように構成されており、入口側端部（面）に入り反対側の出口側端部（面）に出る空気の濾過を伴う。フィルタ媒体は種々の種類のうちどれであってもよい。本開示による典型的な用途においては、フィルタ媒体は、フィルタ媒体パックの入口側端部からフィルタ媒体パックの反対側の出口側端部に向かう流れの向きにおいて空気が通る際に空気の濾過を行う媒体パック内に構成されている。この状況で使用され得る例示的なフィルタ媒体種類については本明細書で上に記載しており、これらの多くは本開示によるいくつかの利点及び用途に対し使用してもよい。
【０１３７】
図２０に、例示的なフィルタカートリッジ４３０を示す。一般的に、フィルタカートリッジ４３０は、入口側流れ端部（又は面）４６１と対向する出口流端部（又は面）４６２との間に延びて配置されている媒体パック４６０（媒体）を含む。一般的に、フィルタカートリッジ４３０は、対向する入口及び出口流端部（面）４３２、４３３それぞれを有し、カートリッジ４３０の入口側流れ端部４３２は媒体パック４６０の入口側流れ端部４６１に対応し、フィルタカートリッジ４３０の出口流端部４３３は媒体パック４６０の出口流端部４６２に対応する。したがって、概して、フィルタカートリッジ４３０は直流フロー構造を有する。すなわち、概して、空気は一端に入り、媒体パック内で大きく方向を変えることなく他端を出る。少なくとも、このように、こうしたフィルタカートリッジは、媒体が開放（流）内部の周りに巻かれる様々な良く知られた円筒状プリーツ付き媒体フィルタカートリッジと容易に区別可能である。
【０１３８】
一般的に、媒体パック４６０に加えて、フィルタカートリッジ４３０は、概して、その上にハウジングシール構造４６５を含む。ハウジングシール構造４６５は、概して、ハウジングシール部材４６６（シール４３９に対応する（図１７Ａ））を含む。シール部材４６６は、使用時、シール部材４６６がエアクリーナハウジングと解放可能なシールを形成し、使用中、空気が媒体パック４６０を越えるのを阻止することができるような状態及び位置においてフィルタカートリッジ４３０の残りの部分に固定されている。これを容易にするために、シール部材４６６は、典型的には、このような密閉目的に典型的に用いられる種類の弾性材料である。例は、参照により本明細書中に組み込む国際公開第２０１６／１０５５６０号パンフレット及び国際公開第２０１４／２１０５４１号パンフレットに記載されている。
【０１３９】
示されている例示的なシール部材４６６、結果的に、全体的なハウジングシール構造４６５は、ピンチシール（又は軸方向ピンチシール）部材４６８として構成され且つ配置されている。より具体的には、ピンチシール部材４６８は周囲ピンチシール部材である。これは、シール部材４６８（及び全体としてハウジングシール構造４６５）が、使用中、２つのハウジング構成要素間に密閉圧力下でシール部材４６６を挟むことができるようなカートリッジ４３０の周囲の位置に延びることを意味する。示されているピンチシール部材４６８は「軸方向」ピンチシール部材と呼ばれることがあるが、これは、ピンチシール部材４６９が（２つのハウジング構成要素間の）密閉圧力が軸方向に、すなわち、入口側端部４６１から出口側端部４６２へと媒体４６０内を貫通している軸のおおよそ延びる方向に印加されるように構成されていることが理由である。本開示による選択した原理を用いた他の種類の（例えば、径方向の）シール構造を使用することはできるが、原理は、軸方向ピンチシールにおける使用に特に良く適合されている。
【０１４０】
本明細書において、「径方向シール」という用語は、概して、ハウジング若しくは他の構造体の周囲部分のいずれかに密閉的に係合するシール（外側に向けられた径方向シール）、又は構造体に対して密閉する際にそれ自体が構造体を包囲する種類のシール（内側に向けられた径方向シール）を指すものである。「径方向」という用語は、密閉力が、特徴を述べたシール部材によって包囲された領域内に延びる中心軸線に向かう方に又は中心軸線から離れる方に向けられることを指すものである。
【０１４１】
更に図２０を参照すると、示されている特定のフィルタカートリッジ４３０は、その上に任意のハンドル構造４７５を含み、ハンドル構造４７５は、この例では、カートリッジ入口側端部４３２に隣接して方向付けられており、カートリッジ入口側端部４３２から、出口側端部４３３から遠ざかる方向に突出している。これにより、ハンドル構造４７５を容易に把持してエアクリーナ４００の保守を管理することができる位置にハンドル構造４７５を配置する及び方向付ける。図示される特定の例示的なハンドル構造４７５は、媒体端部４６１と軸方向に整列する中心ハンドルブリッジ４７６を含み、ハンドルブリッジ４７６の下に、ハンドル部材４７５の把持中に人が指を延ばすことができる空間を画定する。
【０１４２】
図示される特定のハンドル構造４７５は、媒体パック４６０の短い断面軸にわたって且つその端から端まで延びるハンドルブリッジ４７６を含むものであるが、別のものは可能である。
【０１４３】
以下で図３４との関連で記載するように、典型的なアセンブリでは、ハンドル構造４７５は、周囲フレーム部分４７５ｘを含むプリフォーム又は構造体の一部であり、周囲フレーム部分４７５ｘは、媒体４６０を包囲するように、及び例えば、組み立て時にシール部材４６８に組み込まれることによってシール部材４６８により係合されるように方向付けられている。媒体４３２を横断して延び、こうしたフレーム構造４７５ｘ及び媒体４３１に支持及び構造的完全性を付与する任意のグリッド構造４７５ｙが示される。
【０１４４】
図１５を参照すると、示されているフィルタカートリッジ４３０は任意の保護シェル４８０を含む。示されているシェル４８０は媒体パック４６０を取り囲み、取り扱い及び使用時に、媒体パック４６０を保護する。シェル４８０は、また、以下に記載するように、組み立てを容易にするために使用され得る。示されている特定のシェル４８０は少なくともシール構造４６６／４６８から媒体パック端部４６２まで延びる。シェル４８０は種々の手法で組み立てることができ、一例が、以下、本明細書中に記載される。シェル４８０、典型的な用途では、成形プラスチックのプリフォームの部分を含み、カートリッジ４３０の組み立て時、この部分内に、媒体パック４６０が配置される。
【０１４５】
更に図２０を参照すると、示されている特定のフィルタカートリッジ４３０では、媒体４３２は非円形断面周囲形状を有するが、本明細書で記載されている原理は別の構造に適用することができる。媒体４３１の特定の断面形状は略楕円形であるが、同じく、別のものも可能である。本技術の多くの用途では、媒体４３１は断面形状を有する。断面形状は、空気の流れ（媒体パックを通した）に垂直な平面内の長断面軸と、長軸に垂直に、且つ層軸（ｌａｙｅｒ  ａｘｉｓ）の中間点に沿って配置された短軸と、を有し、（長軸の長さに沿った半分の位置における）短軸の長さ（Ｄ２）に対する長軸の長さ（Ｄ１）の比率が、少なくとも１．４、多くの場合、少なくとも１．７、典型的には、多くの場合、少なくとも１．８、及び１．６〜３．０（境界値を含む）の範囲内（例えば、２．０〜２．６（境界値を含む）の範囲内）である。別の比率も可能ではあるものの、このような比率が、一部、１つの断面がもう一方の垂直断面寸法に対して相対的に低い全体的外形を有するエアクリーナに関係するという理由から、典型的には本開示による配置にはこのような比率が好ましい。
【０１４６】
典型的には、媒体パック４３１は、流れ端部間の伸張範囲が少なくとも長さ１００ｍｍ、多くの場合、少なくとも長さ１５０ｍｍ、いくつかの例では、少なくとも長さ２００ｍｍである。流れ端部間の伸張範囲は、２５０ｍｍ以上とすることができる。
【０１４７】
図２１に、カートリッジ４３０の側立面図を示す。上で特徴を述べた、選択した特徴を以下のように見ることができる：ハンドル４７５及びブリッジ４７６を有するプリフォーム３１０、シェル４８０を含むプリフォーム５００、並びにシール部材４６８を有するシール構造４６５。
【０１４８】
図２１において、シール部材４６８に注目されたい。シール部材４６８は、第１の、軸方向に向けられた軸方向（ハウジング）シール表面４６８ｘを含み、第１の、軸方向に向けられた軸方向（ハウジング）シール表面４６８ｘはカートリッジ端部４３３の方に向けられており、使用時（図１７）に、空気流出口４０５ｘの方に向けられる。表面４６８ｘは、「下流」ピンチシール表面（又はハウジングシール表面）又は様々な類似する用語で呼ばれることがあるが、この理由は、表面４６８ｘが、下流側に向けられたシール部材４６８の軸方向ピンチシール表面だからである。これは、使用時、（取り付けられると）より下流のハウジング構成要素に（対して）（すなわちハウジング本体４０２に）密閉されることから、典型的にはより重要なシール表面である。
【０１４９】
図２１に参照符号４６８ｙで示される表面４６８ｘの反対側のシール部材４６８の表面は、周囲上流軸方向表面又は類似の用語で呼ばれることがある。この表面はシール表面であってもなくてもよいが、概して、カートリッジ４３０が取り付けられたときにアクセスカバー４０３の一部分又は先端４０３ｅ（又は参照符号４９７）が圧力を加えてハウジングに対する表面４６８ｘの密閉を生じさせるシール構造４６８の表面である。表面４６６ｙは、周囲伸張範囲に典型的には傾斜がない又はフィーチャがない（基本的に平らである）が、別のものは可能である。
【０１５０】
シール構造４６８は（典型的な用途においては）ピンチシール（軸方向ピンチシール）であり、径方向に向けられたシールではないため、参照符号４６８ｐに示されるシール構造４６８の外部周辺又は周囲縁部は、典型的には、密閉に関与しない。しかしながら、表面４６８ｐは、任意選択的に、以下で記載するようにハウジング又はハウジングコンポーネントとの係合に関して重要な（多くの場合、凹んだ）輪郭特徴を有してもよい。
【０１５１】
図２１を更に参照すると、表面４６８ｘは「傾斜のある」密閉面である。この文脈における「傾斜のある」という用語は、表面４６８ｘがカートリッジ４３０周囲におけるその（周囲又は周辺）伸張部において単なる平ら又は平坦ではなく、むしろ、その中に少なくとも１つの突起／凹部輪郭を有する表面を含むことを意味する。利用可能な突起／凹部輪郭を含む輪郭構成としては、参照により本明細書中に組み込む国際公開第２０１４／２１０５４１号パンフレット及び／又は国際公開第２０１６／１０５５６０号パンフレットに記載されているものが挙げられる。
【０１５２】
図２１を参照すると、参照符号４６９に、例示的な突起／凹部輪郭の突起が示される。図示される特定のカートリッジ４３０は、長い、この例においてはカートリッジ４３０の（直線の）側部部分と重なった、２つの突起輪郭４６９をカートリッジ４３０の各側部に１つずつ有するが、別の数の突起（例えば、１つのみ）は可能である。
【０１５３】
図示される特定の例では、２つの輪郭４６９は同じであり、カートリッジ４３０において互いの鏡像として方向付けられている。別のものは可能である。
【０１５４】
図２１Ａに、突起輪郭４６９の領域内のシール構造４６５（シール部材４６８）の拡大部分図が示される。図２１Ａに示される典型的な好適な構造の特徴について更に以下で説明する。
【０１５５】
ここで、図２１Ｂに注目すると、図２１の線２１Ｂ−２１Ｂに沿って概ね取った拡大部分図である。ここでは、シール構造４６８が２つの対向する突起セクション４６９（４６９ｘ、４６９ｙ）を有する軸方向シール表面４６８ｘを含むことを見ることができる。既に説明し、図２１Ｂにも見ることができる選択した特徴は、以下を含む：ハンドルブリッジ４７６を有するハンドル構造４７５、入口側端部４６１を有する媒体４６０、リブ４７５ｙ、周囲プリフォームセクション４７５ｘ、及びシェル４８０。
【０１５６】
図２２に、カートリッジ４３０の（狭端部に向かう）端面図が示され、２つの対向する突起輪郭４６９（４６９ｘ、４６９ｙ）も見ることができる。
【０１５７】
図２３に、出口側端部４３３（４６２）に向かって取った斜視図が示される。ここで、この位置において媒体端部４６２を支持する、シェル４８０を含むプリフォーム５００内のグリッド構造４８１が示される。グリッド構造４８１の様々な構成を使用することができ、図示されるものは単に例を示す。グリッド構造４８１は、所望であれば、好ましい空気フローパターン、装飾及び／又は供給元表示機能（ｓｏｕｒｃｅ  ｉｎｄｉｃａｔｉｎｇ  ｆｕｎｃｔｉｏｎ）用に構成することができる。
【０１５８】
図２３を参照し、レシーバ凹部４９１に注目されたい。レシーバ凹部４９１は、概して、表面４６８ｘと媒体パック４６０との間に配置されているレシーバ凹部である（図示される例では、媒体パック４６０を取り囲むシェル４８０の一部分）。レシーバ凹部４９１は、取り付け時に、その中に突出する、ハウジング本体４０２の一部分を受け入れるように構成されている。レシーバ凹部４９１は、媒体パック４６０の周囲の周りの伸張部内において連続してもよい（図示されるように）が、こうしたことは本明細書中に記載される全ての技術の適用において必須ではない。取り付け時にレシーバ凹部４９１内にハウジング突起を受け入れると、アクセスカバー４０３が適用される前にカートリッジ４３０がハウジング本体４０２内に適切に配置されることを確実にするのに役立つ。また、このことは、カートリッジ４３０が保守を受けるエアクリーナ４００にとって適切なもの（適切に配置される）であることを保守提供者が知ることに役立つ。典型的なレシーバ凹部４９１は少なくとも５ｍｍの深さ、通常、少なくとも７ｍｍの深さ、及び時としてそれ以上である。レシーバ凹部４９１はまた、典型的には、少なくとも９ｍｍの幅、多くの場合、９〜１５ｍｍの幅である。また、典型的には、レシーバ４９１に隣接するシール構造４８５は、典型的には、比較的薄く、多くの場合、１５ｍｍ未満、及び時として、１０ｍｍ以下である。実際、突起が位置する領域内の先端に隣接するところでは、シール構造４８５は、厚さ８ｍｍ未満であってもよい。
【０１５９】
外部周囲４６８ｐは、その長さに沿った伸張部内に、媒体に向かっていくらかのテーパを備えてもよいことに留意されたい。しかしながら、これは必須ではない。
【０１６０】
再度図２３を参照し、ハウジングシール構造４６８の周囲表面４６８ｐに注目されたい。図示される例の周囲表面４６８ｐは、その周囲に凹部構造４６８ｒを含む。図２１Ｂを参照すると、図示される凹部構造４６８ｒは、カートリッジ内に互いの鏡像として配置された２つの凹部４６８ｒを含む。図示される例では、各凹部４６８ｒは、表面４６８ｘ内の輪郭突起４６９と周囲整列して（ｉｎ  ｐｅｒｉｍｅｔｅｒ  ａｌｉｇｎｍｅｎｔ）（すなわち、重なって）配置されている。これは典型的であり且つ以下で説明する理由のため好ましいが、別のものは可能である。
【０１６１】
ここで、図１７及び図１７Ａに再び注目されたい。ハウジング本体４０２はシールシェルフ４９０を含み、密閉中、シールシェルフ４９０に対してシール構造４６８の表面４６８ｘが圧縮される。シール表面又は肩部４９０を見ることができる図１７Ａの拡大図に注目されたい。表面４９０はその上に任意の中心シールリブ４９５を含み、密閉を促進するために、中心シールリブ４９５に対してシール表面４６８ｘが押し付けられる。図示される例では、シールリブ４９５は、カートリッジが取り付けられたときに、表面４９０において、媒体パックの周囲全体に延びる連続的なリブである。可能であれば、リブ４９５は不連続とすることはできる。典型的なリブは、シェルフ４９０の隣接部分に対する逃げの高さが約０．２〜２ｍｍである。使用可能なこのようなリブは、参照により本明細書中に組み込む、例えば、国際公開第２０１６／１０５５６０号パンフレット及び国際公開第２０１４／２１０５４１号パンフレットに記載されている。
【０１６２】
また、図１７Ａにおいて見ることができるのは、カートリッジ４３０上のレシーバ凹部４９１内に延びるハウジング本体上の突起４９５である。更に及びなお図１７Ａを参照すると、アクセスカバー４０３の先端４９７がシール構造４６８を押して密閉圧力を生じさせる場所を見ることができる。
【０１６３】
概して、ハウジング本体４０２は、密閉シェルフ４９０が傾斜密閉面４６８ｘと嵌合するように傾斜し、ハウジング本体４０２の任意の周囲外壁が密閉構造４６８の周囲の任意の凹部構造４６８ｒと嵌合するよう構成されるように構成されている。図１３に、ハウジング本体４０１の周囲部分（参照符号４０１ｐ）が内側に押されてそのような凹部４６８ｒと嵌合した状態で示される。このような特徴は、形成されるときにハウジング本体４０２内に成形することができる。
【０１６４】
Ｄ．全般的なメインフィルタカートリッジ４３０のアセンブリ、図２３〜図２５Ａ
図２３〜図２５Ａの精査から、カートリッジ４３０に類似するカートリッジを製造する手法が理解される。これは一般に、参照により本明細書中に組み込む国際公開第２０１６／１０５５６０号パンフレット及び国際公開第２０１４／２１０５４１号パンフレットの関連する記載に従い得る。更に、いくつかの好ましい特徴が理解される。
【０１６５】
まず図２４を参照すると、カートリッジ４３０の分解斜視図が示される。まず、媒体パック４６０に注目されたい。例示的な媒体パック４６０は、対向する湾曲した（典型的には半円の）端部４６０ｅと、その間に延びる対向する側部４６０ｓとを有する略楕円形状の媒体パックである。図示される特定の楕円構成は、対向する側部４６０ｓが、互いに略平行な中心直線セクション４６０ｃを含むことから、本明細書では「レーストラック楕円」と呼ばれることがある。このような媒体パックは、図６に関連して上述したコイル式構造を用いて構成され得るが、別の媒体選択を使用することはできる。本開示による原理により楕円形とは別のものを使用できることに留意されたい。しかしながら、多くの用途では、この原理は、長軸と長軸に垂直な短軸とを有し、短軸に対する長軸の比率が少なくとも１．４、多くの場合、少なくとも１．５、及び典型的には１．８〜３．０の範囲内である（レーストラック形状の）楕円構造に適用される。
【０１６６】
媒体は、それが媒体のコイルを含む場合、予備形成された中心コアを備えてもよい、又は例えば、参照により本明細書中に組み込む米国特許第８，２２６，７８６号明細書に従い、そのようなコアなしで設けられてもよい。
【０１６７】
図２４を更に参照し、この例ではシェル４８０を含むプリフォーム５００に注目されたい。本明細書の「プリフォーム」という用語は、参照される構成要素がカートリッジ４３０の構築前に形成され、後に、カートリッジ４３０の構築時に構成要素５００として使用されることを意味する。図示される特定のプリフォーム５００は、媒体又は媒体パック４６０を包囲する周辺周囲側壁又はセクション５０１と、カートリッジ４３０が形成されるときにシール構造４６５内に組み込まれる半径方向外側に延びる周辺突起５０５と、を含む。突起５０５について本明細書の以下に更に説明する。
【０１６８】
図２４には、（第１の）プリフォーム５００とは別個のものであり、前述のハンドル部材４７５と周縁部４７５ｘとグリッド構造４７６とを含む第２のプリフォーム５１０も示される。プリフォーム５１０はまた、シール部材４６８が成形されるときにシール構造４６５内に延びる任意の軸方向スペーサ突起５１１を含む。突起５１１は、組み立て時に、金型内でプリフォーム５１０をプリフォーム５００に対して適切に配置するためのスペーサとして動作する。このことに関して、選択されたスペーサ５１１が突起５０５に当接して示される図２１Ｂに注目されたい。
【０１６９】
この図２１Ｂの記載から、突起５１１は、カートリッジ４３０が組み立てられる際に、２つのプリフォーム（ハンドルプリフォーム５１０及びシェルプリフォーム５００によって代表される）を、それらの間に樹脂が流れる空間を残しつつ、金型内で互いに隣接させて適切に配置するために使用され得ることは理解されよう。当然、突起５１１は、以下で記載するように、突起４６９が位置する場所など、突起５０５がくぼみ又は修正を有する場所では突起５０５に係合しなくてもよい。
【０１７０】
図２４の参照符号４６８に、シール部材が示される。これは予備形成される構成要素ではないが、典型的には、媒体パック４６０、第１のプリフォーム５００、及び第２のプリフォーム５１０が金型内に適切に配置されると現場成形される。構築の典型的な手法において、シール構造４８８は、媒体４６０に直接成形され、媒体４６０を包囲し、媒体４６０と共にシールを形成する一部分を含む。したがって、シール構造４８８は、その中に延びる突起５１１のみならず、プリフォーム５１０の先端５１０ｔを有する（図１２Ｂ）。
【０１７１】
典型的には、シール構造４６８は流動樹脂から成形される。未硬化の流動形態で提供され得る、後にその形状を保持する構造体に硬化されるが、シール部材として動作するように十分に圧縮可能な各種材料は周知である。この例は、参照により本明細書中に組み込まれる国際公開第２０１４／２１０５４１号パンフレット及び国際公開第２０１６／１０５５６０号パンフレットに記載されており、以下で説明する。
【０１７２】
図２４を更に参照すると、シェル４８０の側壁４８０ｓの周囲形状は媒体パック４６０の楕円周囲形状に周囲において完全に一致しないことに留意されたい。むしろ、図示される周囲４８０ｓは、いくらかの比較的直線の部分を概ね含む。当然、シェル側部４８０ｓは楕円媒体パック４６０に嵌合するように楕円にすることはできる。しかしながら、図２４の例は、別のものが可能であることを示す。媒体パック４６０と側壁４８０ｓとの間の空間は、（突起５０５を有する端部に隣接する）この位置においてシェル４８０と媒体パック４６０との間に流される樹脂によって全体的に充填される。或いは、構造４６８を形成する樹脂が金型内に注がれると、樹脂は、典型的には、媒体パック４６０に対して流れ、これに係合するように配置される。これは、例えば、図２１Ｂの参照符号４６８ｚに見ることができる。
【０１７３】
図２５に、出口側端部に向かって取ったカートリッジ４３０の分解斜視図が示される。前述の特徴が全般的に以下のように示される：第１のプリフォーム５００、媒体４６０、成形されたシール構造４６５、及び第２のプリフォーム５１０。
【０１７４】
図２４及び図２５に、プリフォーム５００上の周辺突起５０５が示される。示される特定の突起５０５は、構造４６８の成形中に樹脂が流入することができる周辺樹脂（又は樹脂流）凹部５０５ｒ（図２５Ａ）を含む。これは構成要素を共に固定するのに役立ち得る。レシーバ構造は、（代替的に）フランジ５０５を通る複数の孔を含むことができる。しかしながら、図示される例では、レシーバ構造は複数の樹脂流凹部を含み、複数の樹脂流凹部は、それぞれＴ字形を有し、それぞれ外縁部から半径方向内側の広い部分５０５ｗと狭端部又はネック５０５ｎとを有する。これらは、例えば、図２５Ａに、幅広いＴ字形先端５０５及び狭いネック５０５ｎとともに見ることができる。樹脂がフランジ５０５内に流れ込むと、樹脂は、結果として生じるシール構造４６８がプリフォーム５００から引き離されないように（又はプリフォーム５００がシール構造４６８から引き離されないように）固定するのに役立つ。典型的には及び好ましくは、広い部分５０５ｗは狭いネック５０５ｎよりも少なくとも３０％広い。
【０１７５】
Ｅ．シール構造４６８の例示的な好ましい輪郭特徴、図２１〜図２１Ｂ
１．概要
上述のように、図示される例示的なカートリッジ４３０において、ハウジングシール構造４６８は、突起／凹部輪郭を有して構成された軸方向ピンチシール密閉面４６８ｘと、周囲凹部構造４６８ｒを有する外部周囲４６８ｐとを有する。この段落では、典型的な好適な構成のいくつかの例示的な寸法及び特徴が提供される。別のものも可能である。
【０１７６】
図２１及び図２１Ａを参照すると、突起構造４６９内の選択した突起４６９ｘ、４６９ｙは、本明細書では「階段」と呼ばれることがある。再度、図示される特定のシール構造４６８は、１つがカートリッジ４３０の対向する側部のそれぞれと整列する２つの階段４６９（４６９ｘ、４６９ｙ）を含むことに留意されたい。図２１及び図２１Ａを参照すると、この例では、各階段４６９ｘ、４６９ｙは、「単一の階段」、すなわち、それぞれはそれ自体、複数の階段を含まない。参照により本明細書中に組み込む、例えば、国際公開第２０１４／２１０５４１号パンフレットに記載されているものなどの別のものは可能である。
【０１７７】
２．シールの対称性
この段落では、ハウジングシール構造４６５に関する対称／非対称な特徴について説明する。本明細書中に記載される手法によって様々な可能性を実施することができる。
【０１７８】
シールの対称性に関してまず特徴付けられる概念は回転対称である。本明細書に記載する回転対称は、カートリッジ４３０の中心を、対向する流れ端部（４３２、４３３）又は流れ面（４６１、４６２）間における方向に貫通する軸を中心とした回転の対称性である。この軸は、その周囲にハウジングシール構造４６５が延びる中心軸と特徴付けることができる。シール部材ハウジング又はシール構造４８５（又はシール部材４６８）は、それが１８０°回転し、それ自体と整列することができる場合、回転対称、具体的には、１８０°回転対称を有する。シール構造４６５における回転対称又は１８０°回転対称の例は、例えば、図２０〜図２３Ａに示される実施形態によって提供される。
【０１７９】
ハウジングシール構造４６５又はシール部材４６８の平面対称又は非対称も（又は代替として）定義することができる。一般に、長断面軸と短断面軸とを有する構造においては、（垂直な）略長軸平面は、ハウジングシール構造４６８の中心を通る、長寸法の平面であり、短寸法（軸）平面は、長寸法の中心において、且つ長寸法に垂直に短寸法を通る平面である。任意の定義した平面に関しては、平面対称は、ハウジングシール構造が、平面の第１の側から反対側に、形状における鏡像を画定する状況である。非対称においては、こうした鏡像はない。
【０１８０】
シール構造４６５（又はシール構造４６９）の長寸法平面対称の例は、例えば、図２０〜図２３Ａの実施形態に提供される。シール構造４６５（又はシール部材４６９）の短寸法平面対称もまた、図２０〜図２３Ａの実施形態に示される。
【０１８１】
したがって、シール構造４６８は、長寸法平面対称及び短寸法平面対称の両方を有し得る。別の代替的構造は、長寸法平面対称及び短寸法平面非対称を有し得る。別の構造は、長寸法非対称及び短寸法対称を有し得る。構造は、長寸法平面及び短寸法平面のそれぞれに関して非対称であり得る。
【０１８２】
本明細書中で特徴を述べる変形形態の多様な構造のいずれも、特徴を述べる対称又は非対称の種類のいずれにも適用することができる。回転及び２つの平面の定義に関して選択された対称／非対称な特徴を様々な手法で有利に使用することができる。
【０１８３】
例えば、１８０°回転対称は、カートリッジが取り付け時に２つの方向のいずれかに回転できることを可能にするために使用することができ、これはいくつかの用途において便利であり得る。その一方で、例えば、考えられるＭＡＦＳ（マスエアフローセンサ）の課題又はその他の課題に対処するために１つのみの回転を可能にすることが望ましい場合、これにはまた、そうした回転対称を提供しないことによって対応することができる。更に、任意の選択されたシステムに関して特有の見た目のカートリッジを提供するために、対称／非対称な特徴の組み合わせを使用することができる。このことは、保守、すなわち、対象のシステムの適切な保守部分の認識を容易にすることができる。
【０１８４】
シール構造４６５は周囲形状が楕円ではないが、楕円形を使用することはできることに留意されたい。むしろ、シール構造４６５の特定の周囲形状は、ハウジング本体４０２の周囲部分に概ね対応するものである。これは典型的である。別のものは、当然、可能である。
【０１８５】
３．例示的なシール階段の定義
本明細書中で特徴を述べる例示的な実施形態では、突起／レシーバハウジング軸方向シール構造の傾斜のある軸方向表面セクションは、輪郭（すなわち、階段状又は階段）構成を有するものとして示される。一般的に、傾斜表面内の各傾斜セクション（この例では突起４６９）は、媒体４６０の周縁部又は周囲に沿った伸張部内において、約２００ｍｍ超、典型的には約１８０ｍｍ超、及び通常、１５０ｍｍ超延びない傾向にある先端を有する（寸法ＡＡ、図２１）。典型的には、階段状領域内において、各階段は、少なくとも１０ｍｍ、通常、少なくとも３０ｍｍ、多くの場合、少なくとも４０ｍｍ、多くの場合、４０〜１２０ｍｍの範囲内延びる傾斜のない（平らな）セクション又は先端を有する。
【０１８６】
典型的には、各階段４６９（図２１）は、ハウジングシール表面４６８ｘの直接隣接する部分からの最大軸方向逃げにおいて、少なくとも３ｍｍ、多くの場合、少なくとも４ｍｍ、典型的には、少なくとも５ｍｍ、通常、１２ｍｍ以下、及び多くの用途では、４〜１０ｍｍ（境界値を含む）の範囲内で延びる。これは、図２１及び図２１Ａの寸法ＡＢによって示される。「直接隣接する」及びこの変化形は、本明細書で使用する場合、特徴を述べる他の特徴に隣接する構造内の特徴を指すものである。したがって、各階段４６９に直接隣接するハウジングシール表面４６８ｘは、各階段４６９が配置される場所の隣の、ハウジングシール表面４６８ｘの傾斜のない表面部分である。
【０１８７】
概して、及び図２１を参照すると、シール構造の第１の階段セクション又は他の平坦先端セクションに対する直線移行セクションの伸張部の角度（図２１に参照符号ＡＣで示される）は、約９５°〜１５０°、典型的には１２０°〜１５０°の範囲内であり、各端部の曲率半径は、ハウジング表面との係合を容易にするために鋭くない。これら角度は、図２１に参照符号ＡＣで示される。好ましくは、移行セクションが平坦周囲セクション（階段の１つ又は隣接する軸方向シール表面の傾斜のない部分のいずれか）に係合する場所の曲率半径は、少なくとも２ｍｍ、通常、２〜１０ｍｍの範囲内、多くの場合、４〜８ｍｍ（境界値を含む）の範囲内の半径を有する。場合によっては、この曲率半径は、少なくとも８ｍｍの半径を有するものとして特徴付けることができ、非常に大きくなり得る。同様のサイズの移行端部の曲率半径（密閉を阻止するほど鋭い半径ではない）に関する課題は、範囲内のより大きな端部の曲率半径の制御の課題とは異なる。典型的には、良好な密閉のためには十分に大きくすべきであるが、望ましくない余分な長さの周囲が移行の管理に必要となるためそれほど大きくすべきではない。移行セクションのこれら端部の例は、図２１Ａに参照符号Ｚで示される。
【０１８８】
周辺周囲縁部４６８ｐが媒体４６０に向かう１つ以上の周囲凹部４６８ｒを有する場合、輪郭又は凹部４６８ｒは、それらが縁部の傾斜のない部分に係合する端部移行領域４６８ｔ（図２１Ａ）を有することにも留意されたい。典型的には、これら位置における曲率半径は、便利な移行のために、２〜６ｍｍ（境界値を含む）の範囲内とすべきである。
【０１８９】
典型的には、各周囲凹部４６８ｒは、すぐ隣の端部及び周囲４６８ｐの最外部分に対して、少なくとも０．４ｍｍ、典型的には３ｍｍ以下、及び多くの場合、０．５〜２ｍｍの範囲内の凹部の最大量を有するが、別の量は可能である。
【０１９０】
典型的には、例えば、図２１Ａに特徴付けられるように領域４６９が階段状であるとき、各突起の階段状先端部４６９ｔ（図２１Ａ）は、同じ軸方向シール表面の傾斜のない部分の傾斜のない表面セクションに略平行な平面内に傾斜のない先端部４６８ｔを有し、平面は、少なくとも２ｍｍ、通常、少なくとも３ｍｍ、時として、少なくとも４ｍｍ離隔している。場合によっては、これは非常に大きくなり得る。これは、図２１Ａに参照符号ＡＢで示される平面離隔距離である。
【０１９１】
図２１及び図２２を参照すると、全体的なシール構造４６８は、典型的には５０ｍｍ以下、通常、少なくとも１５ｍｍ、及び多くの場合、１５〜４０ｍｍの範囲内の厚さ（軸方向）を持つ外部周囲を有するが、別の厚さは可能であることに留意されたい。これは図２１Ａに寸法ＴＨで示される。階段４６９を有する部分と階段４６９を有しない部分との間に軸方向厚さの変化があることに留意されたい。この差は、当然、階段４６９の最大逃げ寸法の高さである。
【０１９２】
図２１〜図２１Ａの例を参照すると、シール表面４６８ｘは、「突起」セクション４６９と、その間の非突起又は傾斜のない移行セクションとを有するものとして特徴付けられ得る。典型的には、突起セクションによって示される総周囲長は、表面４６８ｘの総伸張範囲と比較して相対的に短い。典型的には、このようにして測定したときの突起セクション４６９は、合計すると、これらが配置されるシール表面４６８ｘの総周囲伸張範囲の５０％以下、通常、４０％以下、及び多くの場合、３０％以下、及び場合によっては、更にこれ以下を含む。
【０１９３】
現場成形シール部分４６８を形成するために様々な材料を使用することができるが、典型的には、十分に軟質且つ表面４６８の輪郭に対して弾性の材料が、ハウジング特徴に密閉状態で完全に係合することができる。典型的には、発泡ポリウレタン材料又は類似の発泡体材料が使用される。使用可能な材料の例は、典型的には、４５０ｋｇ／ｃｍ３以下、通常、３５５ｋｇ／ｃｍ３以下、及び多くの場合、２９０ｋｇ／ｃｍ３以下、例えば、１９０〜３００ｋｇ．／ｃｍ３の成形密度（密閉を提供するのに望ましい）に成形され得るものである。典型的には、材料は、４０以下、典型的には、３０以下、及び多くの場合、２２超、例えば、１０〜２０のショアＡ硬度に成形される。様々な使用可能な材料を樹脂供給元から入手することができる。
【０１９４】
上記で特徴を述べたプロセスの精査及びハウジングシール構造４６５の全般的構成から、傾斜セクション４６９（表面４６８ｘ内）と縁部突起／凹部輪郭セクション４６８ｒとの間に軸方向の整列を含むとなぜ有利であるかを理解することができる。この理由は、縁部凹部セクション４６８ｒはハウジングシール構造４６５を（空気流に垂直な断面寸法において）薄くするため、傾斜突起４６９を作成する金型内の樹脂量の管理を容易にすることができるからである。代替的に、凹部４６８ｒによってもたらされる樹脂量削減に、突起セクション４６９から生じる樹脂量拡張を付随させることができる。これは典型的且つ有利であるが、本明細書中に記載される技術の全ての用途において必須ではない。
【０１９５】
より一般的には、軸方向密閉面上の突起／凹部輪郭の突起部材は、流れ方向断面積Ａ１を有するものとして特徴付けられ得る。場合によっては、ハウジングシール構造はまた、傾斜のないセクションにおいて、流れ方向断面積が面積Ａ２であるように構成され、Ａ１はＡ２に実質的に類似する（この文脈では、実質的に類似するとは、Ａ１＝０．９〜１．１Ａ２の意味である）。典型的には、２つのセクションは、Ａ１＝０．９２〜１．０８Ａ２、好ましくは、Ａ１＝０．９５〜１．０５Ａ２の断面積を有して形成される。本明細書では、「流れ方向断面寸法」という用語又は同様の用語は、カートリッジの対向する流れ端部間の方向に平行な平面における断面を指すものである。Ａ１は、突起の最大部分で取った断面積であり、Ａ２は、傾斜を有しないシール構造の部分で取った断面積である。これらは、参照により本明細書中に組み込む国際公開第２０１６／１０５５６０号パンフレット及び国際公開第２０１４／２１０５４１号パンフレットに記載されている。当然、別のものは可能である。
【０１９６】
Ｆ．レシーバ凹部４９１に関する特徴、及び／又はシール表面４６８ｘの望ましくない丸まり若しくは変形の阻止
１．概要
再度図２２を参照し、突起輪郭４６９（４６９ｘ、４６９ｙ）に注目されたい。これらは、表面４６８ｘの隣接部分よりもカートリッジ端部４３３（又は媒体端部４６２）に更に向かって延びるシール表面４６８ｘの領域であることを見ることができる。これら突起４６９によって、対応する成形シール部分は、取り扱い及び取り付け中に、例えば、図２２に矢印５２０で示される方向に内側に丸まることによって変形する傾向を有し得る。任意の望ましくないこの種類の変形又は丸まりを阻止するための特徴をカートリッジ４３０に設けることが望ましい。これを容易にするために設けられるカートリッジ４３０の特徴は、以下から理解することができる。
【０１９７】
例示的な好ましいカートリッジ４３０は、シール変形阻止突起構造を有するプリフォームを備え、シール変形阻止突起構造は、傾斜突起４６９（４６９ｘ、４６９ｙ）と周囲整列する位置において、及び突起４６９を望ましくない丸まり又は変形に対して安定させるのを補助する位置において、シール構造４６５の成形される樹脂内に延びる。
【０１９８】
図示される特定のカートリッジ４３０では、このような変形阻止突起構造が設けられるプリフォーム構造はプリフォーム５００（この例ではシェル４８０を含む）であり、特に、変形構造は周辺突起５０５に設けられる。これは図２４〜図２５Ａの精査から理解することができる。
【０１９９】
特に、及び図２４を参照すると、プリフォーム５００の周辺突起５０５は、セクション５０５ｘ及びセクション５０５ｒを含む。セクション５０５ｒは、突起５０５の（セクション５０５ｘに対する）凹設部分であり、パフォーム（ｐｅｒｆｏｒｍ）５００内に、成形されたシール構造４６５（シール部材４６８）内の傾斜突起４６９（４６９ｘ、４６９ｙ）が位置する場所と周囲整列して位置する。これらセクション５０５ｒは（セクション５０５ｘから）媒体パック４６０の下流側端部４６２（又はカートリッジ４３０の端部４３３）に向かって凹設されている。これらの構成の結果、これら（セクション５０５ｒ）は、現場成形されたシール構造４６５に、突起５０５の他の部分５０５ｘよりも突起４６９ｘ、４６９ｙの先端に更に向かう位置において係合する。これにより、上述の種類の丸まり又は変形に対する支持の提供を助ける。これに関しては、凹部５０５ｒは、表面４６８ｘの残りの（非突出）部分よりも低い位置において実際の突起４６９へと延びる必要はないことに留意されたい。この選択は、組み立ての利便性の問題であり得る。典型的には、各凹部５０５ｒは、セクション５０５ｘによって示されるプリフォーム５００の先端に対して、少なくとも２ｍｍの深さ、通常、少なくとも３ｍｍの深さ、及び多くの場合、３〜１０ｍｍの範囲内の深さである。
【０２００】
図示される特定のプリフォーム５００はシェル４８０を含むことに留意されたい。しかしながら、この技法は、関連するプリフォームが（シェル４８０が延びるように）媒体４６０の長さに沿った全体には延びないが、むしろ、シール部材４６５が配置される媒体端部４６１に隣接して配置される構造において実施することができる。即ち、プリフォーム５００の代わりとして、媒体パックの周りに延び、（セクション５０５ｘ、５０５ｒを有する）突起５０５を提供するものの、媒体パック４６０の全長に延びる側面伸張部は提供しないプリフォームを使用することができる。
【０２０１】
図２４を参照すると、セクション５０５ｘ、５０５ｒを有する突起５０５は、突起セクション４６９をその上に有する表面４６８ｘの形状を模すように概ね構成されていることに留意されたい。これは典型的であるが必須ではない。例えば、凹部セクション５０５ｒは突起４６８ｘとほぼ同じ周囲長及び形状を有するが、それぞれの流れ長さに沿った周囲整列のために、より小さなセクション５０５ｒを用いて丸まり又は変形に対する安定化を管理することができる。
【０２０２】
また、丸まりの阻止を提供する構造がフランジ５０５の一部分であるという特定の要件はない。所望であれば、プリフォームの適切な位置に別の突起を含むことができる。
【０２０３】
セクション５０５ｒは、カートリッジ４３０の出口側端部又は流れ面４３３に向かって突出するプリフォーム５０５の一部分として見た場合、「突起」と特徴付けることができることにも留意されたい。
【０２０４】
フランジ５０５は、突起４６９が配置されていない場所のシール構造４６８の部分の変形又は丸まりを防止するのを助けるために配置することができることにも留意されたい。これは、できるだけ表面４６８ｘの方に近づけて配置されるフランジ５０５を有することによって容易になる。図示される例では、以下で記載するように、フランジ５０５は凹部４９１の端部に配置されている。これは耐変形目的に有用であるが、こうした位置でなくても何らかの利点は得ることができる。
【０２０５】
典型的には、及び好ましくは、突起構造５０５が丸まり又は望ましくない変形を阻止するのを助けるために配置される場合、突起構造５０５は、縁部４６８ｘの２０ｍｍ以内、通常、そのような縁部の１５ｍｍ以内、及び多くの場合、そのような縁部の約１２ｍｍ以内の位置に、シール部材４６８と係合して配置される。しかしながら、別のものは可能である。
【０２０６】
２．変更を加えた（凹部５０５ｒを有する）突起５０５を収容するためのハウジングの特徴
図２６〜図３１Ｂに、ハウジング４０１と相互作用するレシーバ凹部４９１の理解を助ける詳細が示される。図２６に、図２７〜図３１を示す断面線を有する、図１３に類似する（しかしアクセスカバー４０３はない）側立面図が示される。図２６の精査から、断面線２７−２７はカートリッジ４３０の突起４６９及び凹部４６８ｒのほぼ中間で取られたものであることは理解されよう。図２８は、突起４６９及び凹部４６８ｒを非凹設部分により近い位置で切ったものである。図２９は、シール構造４６５を、突起４６９及び凹部端部４６８ｒがほぼ位置する場所で切ったものである。図３０及び図３１は、シール構造４６５の傾斜のない部分を切ったものである。
【０２０７】
図２７及び図２７Ａを参照すると、部分分解図が示される。再度、アクセスカバー（参照符号４０３、図１３）は取り外されている。取り付け中であるが、完全には取り付けられていないカートリッジ４３０が示される。再度、断面は、軸方向突起４６９ｘ、４６９ｙ及び周囲凹部４６８ｒのほぼ中間で取られる。シェルフ４９０が、シール４６８の軸方向シール表面部分４６８ｘに押し込むための中心リブ４９５（図２７Ａ）とともに配置されているのを見ることができる。図２７及び図２７Ａを参照すると、シール突起４６９ｘ、４６９ｙは、シェルフ４９０の凹部４９０ｒに押し込まれるように配置されているのを見ることができる。更に、ハウジング突起４９６が、レシーバ凹部４９１内に突出するように配置されているのを見ることができる。ハウジング周辺突起４０１ｐは、カートリッジ４３０が完全に取り付けられると、周辺周囲凹部４６８ｒに押し込まれるように配置されている。
【０２０８】
この位置におけるハウジング突起４９６は相対的に短く、リブ４９５に比べて突起があまり高くなく、上で参照したセクション５０５ｒを収容することに留意されたい。これは、後の図に見ることができる突起４９６の他の特定の部分とは対照的である。
【０２０９】
図２７Ｂに、カートリッジ４３０が完全に取り付けられていること以外は図２７Ａに類似する図を示す。
【０２１０】
材料が媒体パック４６０のどこに係合してその周囲の密閉を提供するかを示す、図２７〜図２７Ｂの現場成形される樹脂材料４６８の領域４６８ｚにも注目されたい。
【０２１１】
図２６〜図３１Ｂの進行過程の精査によって、ハウジング４０２及びカートリッジ４３０の様々な特徴が、シェルフ４９０の凹部及びハウジングシール構造４６８の突起４６９にどう適応するように構成されているかを見ることができる。特に、輪郭突起４６９が最長の場所ではハウジング突起４９６は最短であり、輪郭突起４６９が存在しない位置においてはハウジング突起４９６は凹部４９１内の更に奥に延びるのを見ることができる。これは特に必須ではないが、有利であり得る。突起４９６が連続的であるという特定の要件はないが、好適な構成では典型的には連続的であることにも留意されたい。
【０２１２】
３．「傾斜のある」プリフォーム突起表面に関する解説
得られカートリッジ４３０において、プリフォーム突起表面５０５は、「傾斜のある」プリフォーム突起表面と特徴付けることができることに留意されたい。このことは、例えば、図２３Ａを参照することにより理解することができる。図２３Ａは、図２１の線２３Ａ−２３Ａに沿って概ね取った概略断面図である。
【０２１３】
図２３Ａに、断面において、レシーバ凹部４９１を見ることができる。プリフォーム５００上の突起５０５は、シール構造４６５と、媒体パック４６０を取り囲むプリフォーム５００の一部分との間のその凹部を横断する。参照符号４６９ｘ、４６９ｙにおいて、シール表面４６８ｘの突起が観察者に向かって突出しているのを見ることができる。これらセクションと（周囲又は周辺で）整列している周囲凹部４６８ｒが提供されていることも見ることができる。更に、プリフォーム突起５０５のセクション５０５ｒが、これら同じセクション４６９ｘ、４６９ｙと整列した状態で観察者に向かって突出しているのを見ることができる。
【０２１４】
一般的に、したがって、図示される特定のカートリッジ４３０において、支持突起又はフランジ５０５はレシーバ凹部４９１を横断するが、非平面構成、すなわち、突起／凹部輪郭構成を有し、輪郭形状は、シール構造４６５の突起／凹部輪郭と整列する。
【０２１５】
図においては、突起５０５の下方に延びる成形されたシール材は図示されないことに留意されたい。例えば、図２７Ａを参照されたい。これは典型的ではあるが全ての場合において必須ではない。より一般的には、樹脂硬化中にプリフォーム５００の周囲突起５０５内の各種孔又はスペーサ内（から下方の突起まで）に完全に、軸方向に樹脂が流れることは必須ではない。これは行うことはできるが、特に必須ではない。
【０２１６】
本明細書の本段落及び別の箇所において、「整列している」、「周囲整列している」、「周辺整列してしている」、又は同様の用語によって特徴を述べる場合がある。この例は、周囲凹部４６８ｒと輪郭突起４６９ｘ、４６９ｙとの間の整列、及びこれらの特徴及びプリフォーム５００の周囲突起５０５内の凹部５０４ｒが関与する整列などである。この文脈において、「整列」及び同様の用語は、互いに対する周辺又は周囲整列（軸方向に垂直）、すなわち、媒体パック４６０に向かう伸張部において互いに整列している、又は他と重なっている、を指すものである。
【０２１７】
ＩＶ．いくつかの一般的な及び任意のプレクリーナ特徴、図３２〜図３４
前述のように、図示される特定のアクセスカバー４０３は、任意選択的に、任意のプレクリーナアセンブリ４１０を含む。好ましいプレクリーナアセンブリ４１０の一般的な特徴及び動作は、図３２〜図３４の参照により理解することができる。
【０２１８】
図３２に、エアクリーナ４００の部分分解図が示される。特に、プレクリーナ４１０は、フィルタカートリッジ４３０をその中に含むエアクリーナ本体４０２から分離されて示されている。
【０２１９】
図３２を参照すると、プレクリーナ４１０は、前述のように、概して、通常は互いに固定されているが、図３２では分解された状態で示される外セクション又はカバー４１０ａと内セクション又はカバー４１０ｂとを含む。図示される外カバー４１０ａは周囲取付フランジ６０１を含み、周囲取付フランジ６０１は、取り付け時、前述のように、ラッチ４１８による固定によって、ハウジング本体４０２の端部４０２ｅ内で位置合わせされている。場合によっては、Ｏリングシールなどのウェザーシール部材（図示せず）がアクセスカバー４０３とハウジング本体４０２との間に配置され得る。
【０２２０】
図３２Ａに、フローチューブ入口側端部６０３ｉを有するセクション６０１の拡大部分図が示される。図３３に、図３２の図の反対側の、すなわち、セクション６０１の内側部分に向かって取った分解斜視図が示される。以下の概要で３つの図について述べる。
【０２２１】
外カバー４１０ａ（図３３）はその中に、（参照した入口又は入口側端部６０３ｉ（図３２Ａ）を有する）フローセパレータ（入口）チューブ６０３のアレイ６０２を含む。入口チューブ６０３は予備形成することができ、例えば、組み立て時にカバー６０１内の孔に圧入され得る。概して、各セパレータ入口チューブ６０３は上流入口側端部６０３ｉ（図３２Ａ）を含み、この端部内に、エアクリーナアセンブリ４００に入る（濾過される）空気が送られる。各入口チューブ６０３は、端部６０３ｉ内に又は端部６０３ｉに隣接して、ベーン構造６０４（図３２Ａ）を含み、ベーン構造６０４は、入口空気のサイクロン流を取り込む（誘導する）ように構成されている。入口チューブ６０３はそれぞれ、概して、入口側端部６０３ｉに対向する端部６０３ｘ（図３３）を含む。各セパレータチューブ端部６０３ｘは側部（サイクロン出口）スロット６０３ｃを含み、このスロットを通じて、フローセパレータ構造内のサイクロン流によって分離された汚染物質（粉じん、微粒子汚染物質排出器又は水）がチューブ６０３を出て、結果的に、ハウジング汚染物質排出ポート構造４２６（図１６）を通って排出される。
【０２２２】
内カバー４１０ｂ（図３２及び図３３）は、周囲（外）壁６０６と中心チューブシートセクション６０７とを含む。周囲壁６０６はプレクリーナ４１０の外側部分の周りに延び、外カバー４１０ａに係合している。図示される例では、周囲（外）壁６０６はまた、その上に圧力フランジ又は先端４０３ｔを含む。
【０２２３】
より一般的には、アクセスカバー４０３は内部周囲先端又はフランジ４０３ｔを含み、内部周囲先端又はフランジ４０３ｔはハウジング内の十分に遠くに突出し、ハウジングシール構造４６５によってフィルタカートリッジ４３０に係合している。このフランジ４０３は、概して、壁６０６によって設けられる内部周囲シールド又はカバーの最も内側の端部である。
【０２２４】
チューブシートセクション６０７は周囲壁６０６にわたって延びる。チューブシートセクション６０７は複数の出口チューブを含み、その例は参照符号６１０に示される。これらチューブ６１０のうちの選択された１つが、１つの（選択された）各入口チューブ６０３に向かって延び、その入口チューブ６０３に入った空気の流れを受け入れ、その空気がチューブシート６０７を通過してハウジング４０１の内部４０１ｉ（図３２）に、最終的にカートリッジ４３０に達することを可能にする。典型的には、出口チューブ５１０は、内カバー４１０ｂの残りの部分と一体成形（形成）されているが、別のものは可能である。
【０２２５】
内カバー４１０ｂは、典型的には、外カバー４１０ａと別々に作製又は成形され、外カバー４１０ａに固定される。スナップフィット又は別のものを含む様々な固定手法を用いることができる。この例では、このようなスナップフィットは、セクション４１０ｂの突起６１６に係合するセクション４１０ａのループ突起６１５によって提供される。場合によっては、２つのセクション４１０ａ、４１０ｂは、支持することができないように共に固定されてもよい。他の用途では、内カバー４１０ｂ及び外カバー４１０ａを、保守又は内部洗浄のために分解することを可能にするように構成することが望ましい場合がある。
【０２２６】
より一般的には、プレクリーナアセンブリ４１０は、内カバー４１０ｂと外カバー４１０ａとの間にスナップフィット構造を含むことができる。スナップフィット構造は、概して、それぞれの上に配置された構成要素を含む。図示される例では、内カバー４１０ｂ上に配置された構成要素は突起構造６１６であり、外カバー４１０ａ上に配置された部材は、突起４１６と係合するためのループ構造６１５を含む。
【０２２７】
図３３Ａに、セクション６０１の内部表面６０１ｉの方に向けられた図が示される。ここで、行Ｒ１、Ｒ２、Ｒ３、及びＲ４にそれぞれ対応する、長寸法における各種列に方向付けられたフローチューブ６０３のアレイ入口が見えることが分かり得る。示される図は、概ね、図３３に示される向きに向かって取ったものである。図３３を参照すると、行Ｒ１は、フローチューブ６０３ａ、６０３ｂ、６０３ｃ、及び６０３ｄを含む。行Ｒ２は、フローチューブ６０３ｅ、６０３ｆ、６０３ｇ、及び６０３ｈを含む。行Ｒ３は、チューブ６０３ｊ、６０３ｋ、６０３ｌ、及び６０４ｍを含み、行Ｒ４は、チューブ６０３ｎ、６０３ｏ、６０３ｐ、及び６０３ｑを含む。
【０２２８】
図示される例では、各種行Ｒ１、Ｒ２、Ｒ３、及びＲ４は、使用されるエアクリーナ内で垂直に方向付けられた列である。これについては以下で更に述べる。
【０２２９】
図示される例では、各種フローチューブ６０３は、入ってくる空気を内部から見たときに反時計回りに（外部から見たときに時計回りに（図３２Ａ））回転させるように方向付けられたベーン６０３ｖを有するそれぞれの入口セクション６０３を有して配置されている。これは、図３３Ａの矢印Ｆによって示される。概して、行Ｒ１、Ｒ２、Ｒ３、及びＲ４は、行Ｒ１及び行Ｒ２を含む「第１の組６４０」と、第２の組６４１（行Ｒ３、行Ｒ４を含む）とに分かれているものとして見ることができる。
【０２３０】
図３４に、アクセスカバー４０３がその上に配置されたエアクリーナアセンブリ４００の外観図が示される。チューブ６０３は、外部から見たとき、ベーンが外部からの空気を時計回り（図３３の内部から見ると反時計回り）の回転へと移動させるように方向付けられているのを見ることができる。
【０２３１】
これを容易にするために、入口チューブのアレイは、それぞれが好ましい状態に方向付けられた側部ダストイジェクタスロット６０３ｃを有して配置されている。これは、図３３及び図３３Ａの参照により理解される。
【０２３２】
図３３を参照すると、概して、各入口チューブ６０３の各イジェクタスロット６０３ｃは、約１５０°〜１９０°の弧に相当するチューブの一部分にわたって延びるように方向付けられている。典型的には、そのそれぞれは、その特定のチューブにおいて粉じんが排出される方向に応じて、上向き又は下向きに方向付けられている。典型的には、粉じんは、サイクロン流に対して、開口部の下流側端部の方に、対応するチューブの曲線に対して幾分接線方向に出る。例えば、及び図３３Ａを参照すると、粉じんが反時計回りに旋回するチューブ６０３ａにおいては（図３３Ａに示されるように内側から見たとき、粉じんはチューブ６０３ａからほぼ矢印Ｑの方向に排出される）、粉じんはチューブ６０３ｎからほぼ矢印Ｒの方向に排出される。
【０２３３】
図３３Ａの、中心線Ｚに注目されたい。チューブ６０３のアレイを通る中心線Ｚは、ハウジングの中心にダストイジェクタポート４２６と整列して配置された略垂直線である。中心線Ｚの側方に、チューブは、中心線Ｚから遠ざかる方に粉じんを導くように方向付けられた組を含む。したがって、行Ｒ１及び行Ｒ２のチューブは、概ね矢印Ｑの方向に粉じんを導くようになっており、Ｒ３及びＲ４のチューブは、概して、矢印Ｒの方向に粉じんを導くようになっている。これにより、粉じん排出及びイジェクタポート４２６への結果的な移動が容易になる。
【０２３４】
チューブ６０３のアレイが長軸を水平にして配置される場合、同様の原理が適用され得ることに留意されたい。この場合も、チューブを、適切な中心線の両側の組に構成し、その後、所望であれば、チューブの開口部を粉じんの排出のために方向付けることができる。
【０２３５】
ここで、図３４に注目されたい。内セクション４１０ｂの側壁（６０６、図３３）は、典型的には、チューブ６０３によって排出される粉じんが壁６０６を通ってイジェクタ４２６に入るための孔をその中に有することに留意されたい。このような孔は、典型的には、チューブ６０７から上流の壁６０６の一部分に位置する（図３３）。
【０２３６】
プレクリーナ４１０の上述の一般原理は、概して、参照により本明細書中に組み込む国際公開第２０１６／１０５５６０号パンフレットに記載されているものに従い、同様の原理を使用することができる。
【０２３７】
Ｖ．対象の特徴のいくつかの追加的な変更形態及び適用可能性、図３５〜図４１
概して、これまで説明した特徴の多くは、特定の種類のピンチシール構造の望ましくない変形（丸まり）の制御に関連する。本開示の本段落では、そのような特徴を使用する選択したカートリッジの例示的な変更形態を示す。加えて、カートリッジがそのような耐変形（耐丸まり）特徴を有するかどうかとは無関係に実施され得るエアクリーナアセンブリ及びフィルタカートリッジのいくつかの有用な変更形態を記載する。
【０２３８】
図３５〜図４１に、前段落で特徴を述べた例示的な変更形態を提供する。これらの図では、前述の実施形態に関連して記載した特徴と同様に示される若しくは配置される又は類似の目的を有すると記載される特徴は、同様の用語を使用して特徴付けられ得るとともに、類似の詳細、変更形態、及び前述の他の変動形態とともに使用され、図示される相違を説明する。
【０２３９】
１．円形媒体パックの状況における耐変形特徴の適用
本明細書の上記で、取り付け時に変形する（丸まる）傾向がある特定のピンチシール構造とともに使用可能なフィルタカートリッジの選択した特徴について開示及び説明した。図３５では、そのような特徴は、円形媒体パックの存在下で示される。円形媒体パックに対するそのような特徴の適用可能性については上述した。図３５は単に例を記載する。
【０２４０】
図３５を参照すると、参照符号７３０にフィルタカートリッジが示されている。カートリッジ７３０の特徴の多くは、円形を有する媒体パックの状況以外は、前述のカートリッジ４３０に類似する。
【０２４１】
したがって、カートリッジ７３０は、円形断面形状を有する媒体パック７３１（媒体７３１ｍを有する）をその中に含む。媒体パック７３１は、例えば、図１〜図６に関する上記説明に従い一般に共に固定されたフルート付きシートと外装シートとを含むコイル式構造の媒体であってもよい。本明細書で上述した媒体の変更形態を含む別の媒体種類を使用することはできる。
【０２４２】
図３５では、媒体パック７３１を概略的に示し、詳細は図示しない。例えば、媒体パックが媒体のコイルを含む場合、媒体パックは、例えば、参照により本明細書中に組み込む米国特許第７，９６７，８８６号明細書による中心プラグ又はシールをその中に含んでもよい。更に、個々のフルートが使用される場合、本明細書で上述した端部特徴等を含んでもよい。
【０２４３】
したがって、カートリッジ７３０は、概して、第１の（入口）流れ端部（又は面）７３１ａと、第２の、対向する（出口）流れ端部（又は面）７３１ｂとの間に延びて配置されている媒体パック７３１を含む。したがって、カートリッジ４３０と同様に、カートリッジ７３０は直流フロー構造を有する。
【０２４４】
また、カートリッジ４３０と同様に、カートリッジ７３０は、その上にハウジングシール構造７６５を含む。ハウジングシール構造７６５は、概して、ハウジングシール部材７６６を含む。ハウジングシール部材７６６は、使用時にハウジングシール部材７６６がエアクリーナハウジングと解放可能なシールを形成することができるような状態及び位置においてフィルタカートリッジ７３０の残りの部分に固定されている。これを容易にするために、シール部材７６６は、典型的には、シール部材４６６に関して上述したものに類似する弾性材料であり、円形の媒体パック７３１に適応するための変更以外は、シール部材７６６は、所望であれば、前述の手法及び特徴を使用して適所に固定され得る。
【０２４５】
シール部材４６６と同様に、図示される例示的な全体的なハウジングシール構造７６５のシール部材７６６は、ピンチシール（又は軸方向ピンチシール）７６８として構成され、配置されている。したがって、シール部材７６６は、カートリッジ７３０の周囲の周りの、使用中、２つのハウジング構成要素（カートリッジ４３０と同様に）間に密閉圧力下で挟むことができる位置に延びる。
【０２４６】
図３５を更に参照すると、図示されるフィルタカートリッジ７３０はプリフォーム７７５ｘを含み、プリフォーム７７５ｘは、この例では、カートリッジ入口側端部７３１ａに隣接して方向付けられ、出口側端部７３１ｂから離れる方向に突出するハンドルブリッジ７７５ｂを有する任意のハンドル構造７７５をその上に有する。これにより、カートリッジ７３０を使用することができるエアクリーナ７００（図３７）などのエアクリーナの保守管理のために容易に把持することができる位置にハンドル構造７３５を配置し、方向付ける。
【０２４７】
プリフォーム７７５ｘ及びハンドル構造７７５は、特定の形状以外は、上述のプリフォーム及びハンドル構造４７５に類似してもよい。
【０２４８】
カートリッジ７３０は、ハンドル構造７７５含むプリフォーム７７５ｘの一部として、任意のグリッド構造４７５ｙ（図２０）に類似するグリッド構造（図示せず）を任意選択的に含んでもよいことに留意されたい。
【０２４９】
図３５を更に参照すると、図示されるカートリッジ７３０は、カートリッジ４３０に関して上述した任意の保護用シェル４８０に類似する任意の保護用シェル７８０を含む。図示される特定のシェル４８０は、少なくとも、シール構造７６５から媒体パック端部７３１ｂまで延びるが、別のものは可能である。カートリッジ４３０と同様に、カートリッジ７３０は、端部７３１ｂにわたって延びる任意のグリッド（不図示）を含んでもよい。シェル７８０は、典型的な用途では、シェル４８０に類似し、したがって、組み立て中に媒体パック７３１がその中に配置される予備形成された成形プラスチック部品の部分を含み得る。
【０２５０】
図示されるシェル７８０は、媒体パック７３１に一致する円形断面を持つ側壁を有することに留意されたい。別のものは可能であり、実際、シェル７８０の側壁は、例えば、上述のシェル４８０と同様に、媒体パック７３１の形状を模さない形状を有してもよい。
【０２５１】
選択した部分を有するカートリッジ７３０を分解図で示す図３６に注目されたい。図３６では、ハンドル構造７７５を有するプリフォーム７７５ｘはシール７６８に対し分解された状態で図示されないことに留意されたい。
【０２５２】
図３６を参照すると、媒体パック７３１は中心７３１ｃの周りのコイルとして示され、この中心７３１ｃは、媒体パック７３１に未濾過の空気を通すために閉じられていることに留意されたい。この場合も、典型的な手法は、上で参照した米国特許第７，９６７，８８６号明細書に従い、中心７３１ｃ内に中心コアを成形することである。
【０２５３】
図３５と図３６を比較すると、図示される特定のシール部材７６６が、第１の、軸方向に向けられた軸方向（ハウジング）シール表面７６６ｘと対向する第２の表面７６６ｙとを有する構造を含むのを見ることができる。シール部材７６６の外部周囲７６６ｚも見ることができる。シール部材７６６は、傾斜のあるピンチシール部材であり、任意選択的に、カートリッジ４３０について前述した構造に類似する周囲突起／凹部構造７７０及びピンチシール表面突起／凹部構造７７１を含む。そのような構造に関して前述したオプションを使用することができる。
【０２５４】
図示される特定のカートリッジにおいては、突起／凹部構造７７０は、４つの（この例では、均一に）離隔した凹部７７０ｒを含み、軸方向ピンチシール表面突起／凹部構造７７１は、媒体パック７３１の周囲及びカートリッジ７３０の残りの部分の周りに４つの（この例では、均一に）離隔した突起７７１ｐを含む。別のものは可能である。例えば、任意の突起／凹部間の空間に代わるものがあり得る、及び／又はこれらの数の変動があり得る。
【０２５５】
この例では、及び有利には、提供される記載に従い、周囲凹部７７０ｒはそれぞれ、シール表面突起７７１ｐと整列している、すなわち、シール部材７６６はこれらの特徴と軸方向に整列している。そのような階段状構造は、有利には、本明細書で前に特徴を述べたものとすることができるが、別のものは可能である。
【０２５６】
その結果、特定のカートリッジ７３０は、シール部材７６６に対して１８０°回転対称を有する。実際、適切なシール表面及びハウジングによって、シール部材は、４つの均一に半径方向に離隔した回転方向のいずれかにおいてそれ自体と整列する（又は取り付けられる）ので、特定のカートリッジ７３０はまた、９０°対称を有する。
【０２５７】
カートリッジ７３０は、本明細書に記載される特徴を備えることができ、変形又は丸まりの問題なくシール構造７６５の実施を容易にすることに留意されたい。これは、前述の種類の特徴を含む周囲突起７８５を有する保護用プリフォーム７８０が示される図３６の参照によって理解することができる。
【０２５８】
当然、カートリッジ７３０は、保護用プリフォーム７８６を含む第１のプリフォーム、及び得られたシール構造７６５に組み込まれたハンドル部材７７５を含む第２のプリフォームに現場成形したシール部材７６６と、前述のように媒体パック７３１に係合するモールディングとによって、前述のとおりに構築され得る。しかしながら、前述のように、別のものは可能である。
【０２５９】
図３７に、ハウジング本体７０１とアクセスカバー７０２とを有するエアクリーナアセンブリ７００が示される。図示されるハウジングは、参照符号７０３に出口構造を有し、楕円形のものの代わりに円形カートリッジを受け入れるように構成されていること以外は、上述のハウジング４０１（図１３）に概ね類似し得る。
【０２６０】
エアクリーナアセンブリ７９０は、例えば、前の実施形態で前述した排出出口７０６とともに、アクセスカバー７０２内に、入口特徴及びプレクリーナ特徴を含んでもよい。当然、セパレータチューブ（図示せず）は、全体的に円形の形状に適応するためにアレイに方向付けられる。
【０２６１】
要するに、図３５〜図３７は、本明細書で上述した原理を、任意選択的に、楕円形のものとは対照的に円形断面形状を有するカートリッジにおいてどのように実施することができるかの一例を提供する。周囲突起／凹部シール構造、傾斜のあるピンチシール表面突起／シール構造、並びに他のカートリッジ特徴及びハウジング特徴に関連して本明細書中に記載される選択した特徴及び変更形態を、図３５〜図３７によるカートリッジ及びエアクリーナとともに実施することができる。
【０２６２】
Ｂ．プレクリーナ構造の一部分をカートリッジに含めることを可能にする特徴の例示的な変更形態、図３８〜図４１
本明細書の上記において、エアクリーナアセンブリ４００との関連で、アクセスカバーの一部として配置された複数のプレクリーナ又はセパレータチューブ４１１を含むプレクリーナ構造４１０について記載した。これに関しては、図１４〜図１７の記載に注目されたい。
【０２６３】
示されたように、図３７との関連で上述したエアクリーナアセンブリ７００において類似のプレクリーナを使用することができる。円形のハウジングでは、プレクリーナチューブ４１１の数及びチューブのアレイ内におけるそれらの向きは、円形については異なるようであることが予想される。しかしながら、動作の原理は依然として類似している。
【０２６４】
場合によっては、ハウジングの一部として完全に配置されるのとは対照的に、カートリッジに固定された（すなわち一体化された）プレクリーナの一部分を含むことが望ましい場合があることが予想される。この例は、図３８〜図４１の参照によって理解することができる。
【０２６５】
まず図３８を参照すると、本体部分８０２と取り外し可能なアクセスカバー８０３とを含むハウジング８０１を含むエアクリーナアセンブリ８００が示される。図示される例では、ハウジング本体８０２は空気流出口構造８０５を含み、アクセスカバー８０３は、空気流入口構造８１０と粉じん排出部構造８２０とを含む。
【０２６６】
図３８を参照すると、入口構造８１０は、ここで記載されること以外は、チューブ４１１について前述したように動作するように構成され得るプレクリーナ又はセパレータチューブ８１１のアレイを含む。チューブ８１１の特定のアレイは、以下に更に記載されるように、円形（媒体）構造用に構成されることに留意されたい。
【０２６７】
ハウジング８００は、カートリッジを取り付けるために、この例ではラッチ８２６を含むクロージャ構造によって確保される圧力により２つの構成要素８０２、８０３間にメインフィルタカートリッジのピンチシールを配置した状態で、接合部８２５において分離可能である。別のものは可能である。
【０２６８】
図３８を更に参照すると、参照符号８２８ａに、使用のためにエアクリーナアセンブリを機器の適所に固定するのを助けるための取付ポスト構造が配置されている。別の取付構造及び取付構造の構成は可能である。
【０２６９】
図３８を更に参照すると、出口８０５に隣接する参照符号８２９に、例えば、圧力計及び／又はマスエアフローセンサ（ＭＡＦＳ）等を含む様々な機器構造において使用することができるタップ構造８２９が設けられている。
【０２７０】
図３９に、アセンブリ８００の分解斜視図が示される。ここでは、内部に受け入れられた一次フィルタカートリッジ８３０を見ることができる。
【０２７１】
また、図３９に示されるのは、任意の安全カートリッジ８６０である。任意の安全カートリッジ８６１は、安全カートリッジ４３５（図１５）と同様に動作するように構成されてもよく、プリフォーム８６２によって包囲された媒体８６１と、シール部材８６３と、ハンドル構造８６４と、を含む。同じく図示されるのは、更に、メインカートリッジ８３０に対する適切な間隔と位置決めの確保を容易にすることができる媒体スペーサ８６７である。
【０２７２】
カートリッジ８３０は、示されるもの以外はカートリッジ７３０に概ね類似してもよい。特に、例示的なカートリッジ８３０はカートリッジ７３０の任意のハンドル構造７７５を含まず、むしろ、セパレータチューブセクション８４２のアレイをその上に含む任意の（入口）エンドキャップ８４０を含む入口プリフォーム８４０ｐを含む。概して、キャップ８４０は、セパレータチューブセクション８４２を空気が通過する以外は、カートリッジ８３０の媒体パックに空気を通すために閉じられている。前述のプレクリーナに類似する動作のために、セパレータチューブセクション８４２は、アクセスカバー８０３内に配置されたアレイ内のセパレータチューブ入口セクション８１１ｉのうちの選択した１つに係合（挿入）され、セパレータチューブ入口プレクリーナ構造を形成するように構成されている。
【０２７３】
図３９を更に参照すると、カートリッジ８３０は、シール構造７６５に類似するハウジングシール構造８７０を含むことに留意されたい。別のものは可能である。
【０２７４】
図３９を参照すると、ハウジング本体８０２は、ピンチシール構造８７０内に、ハウジング本体８０２と関連する突起／レシーバ構造の４つの個々の部材を受け入れるために、端部８０２ｅに隣接して配置及び構成されている。したがって、等しい形状及び間隔の個々のピンチシール表面突起／凹部部材並びに周辺突起／凹部部材が使用される場合、シール８７０を４つの方向のうちのいずれか１つに回転させて配置することができるので、カートリッジ８３０は、シール８７０の９０°回転対称を有する。当然、カートリッジ８３０はまた、１８０°回転対称を有する。
【０２７５】
カートリッジ８３０を４つの回転方向内において配置可能であるという正味の結果は、チューブセクション８４２もまた、カートリッジ８３０とともに４つの回転方向に整列し、アクセスカバー８０３になお適合することができる配置に方向付けられることが好ましいことを意味する。これは、示されるチューブセクション８４２及び８１１ｉの（この例では、＋形の又はプラス形の）パターンによって提供される。
【０２７６】
図３９Ａに、カートリッジ８３０の分解斜視図が示される。この場合も、ピンチシール部材８７０は上述のピンチシール部材７６６に概ね類似し得る。媒体パック８３１及び保護用カバー８３２にも同じことが当てはまる。しかしながら、記載したように、その上にハンドル部材を有する代わりに。カートリッジ８３０は、キャップ８４０を含むプリフォーム８４０ｐを含み、キャップ８４０は、その上に配置された、媒体に向かってキャップ８４０を通過する空気の流路を提供する記載した各種チューブセクション８４２を有する。
【０２７７】
プリフォーム８４０ｐは、所望であれば、チューブセクション８４２に加えて、概ね前述の種類のハンドル部材を備えることができることに留意されたい。プリフォーム８４０ｐの一部としてハンドル部材を成形することの他に全般的に必要なことは、ハウジング内のカートリッジ上のチューブセクション８４２のアレイ（セクション８１１ｉのような）が、ハンドル部材用の隙間を許容するように方向付けられることを確実とすることである。
【０２７８】
図４０に、図３９の線４０−４０に沿って概ね取ったエアクリーナアセンブリ８００の概略断面図が提供される。内部に受け入れられたメインフィルタカートリッジ８３０及び安全フィルタカートリッジ８６０を見ることができる（注：保護用カバー８３２上のグリッド構造８３２ｇが媒体パック８３１の出口側端部にわたって延びる。また、中央プラグ８３１ｐが媒体パック８３１内にあることに注目されたい）。
【０２７９】
チューブセクション８４２によって形成され、遠心粉じんセパレータセクション８１１ｉに突出するセパレータ又はプレクリーナチューブ８９０が示される。図４０に、理解を容易にするために、遠心粉じんセパレータセクションの選択された入口セパレータチューブが取り外されて示される。特徴８１１ｉと特徴８４２との組み合わせから生じるセパレータチューブ８９０は、清浄空気レシーバセクション８４２が、ハウジング入口カバー上とは対照的に、カートリッジ８３０上に配置される（一体化されて）こと以外は、前述のチューブと同様に動作し得る。
【０２８０】
図示されるチューブセクション８４２は、概して、円形の外部周囲及び内部周囲を有することに留意されたい。別のものは可能である。しかしながら、円形チューブセクションが典型的であり且つ好適である。
【０２８１】
概して、隣接する媒体パック端部によって同定される縁部（隣接する流れ端部）周囲面積に対する、（プリフォーム８４０ｐ内の又はプリフォーム８４０ｐを通る）チューブセクション８４２によって提供される空気流開口流れ面積の合計は、望ましくない制限のない、得られたカートリッジを通る良好な空気流にとって十分であるべきである。典型的には、チューブ８４２の合計によって示される開口面積は、チューブセクション８４２に隣接する媒体パックの端部領域の少なくとも５％、典型的には、その端部領域の少なくとも１０％、多くの場合、その領域の少なくとも１５％である。別のものは可能であるが、典型的には、チューブセクション８４２によって提供される開口部は、その領域の約５０％超を含まない。
【０２８２】
図４０の寸法Ｎで示される、媒体パック端部から周囲キャップ部の間隔は、チューブセクション８４２からの出口流が媒体の端面にわたって十分に配分され得ることを確実にするほど十分であるべきである。媒体と入口プリフォームとの間の少なくとも５ｍｍ、通常、少なくとも８ｍｍ、及び時として、１０ｍｍ以上の間隔が典型的であるが、別のものは可能である。通常、良好な空間利用のため、極めて大きな間隔は好ましくない。したがって、典型的には、合計空間寸法Ｎは、２５ｍｍ以下、及び通常は２５ｍｍ未満であるが、別のものは可能である。
【０２８３】
カートリッジの入口側端部上にキャップを有し、このキャップはその上に配置された、チューブ８４２に類似する一体型の清浄空気チューブを含む、プレクリーナ構造の動作原理は、多様又は形状のカートリッジにおいて実施することができる。図４１に、その上にチューブセクション９０２を有するキャップ９０１を含む楕円形カートリッジ構造９００の一例が概略的に示される。当然、別のチューブ数及びアレイ内の位置を使用することはできる。
【０２８４】
上述のように、セクション８４２に対応する様々な構造のチューブセクションを、セクション８１１ｉ（図３８〜図４０）に対応する様々な構造のセクションにおいて使用することができる。特定の構造は、チューブ８４２が４つの回転方向（回転可能に９０°離れた）のいずれかに方向付けられている場合、これらがチューブセクション８１１ｉのアレイとなお合致する／嵌合するように方向付けられる。図３８〜図４１の構造との関連で記載されるように、チューブセクションがカートリッジ上に含まれる場合、カートリッジ内のチューブセクションは、カートリッジシール構造が対応するハウジングに適切に係合し、密閉することができる方向の数に対応する方向の数において、入口チューブセクションのアレイに適切に係合してセパレータチューブを形成するアレイ内にあることが典型的である。したがって、図３８〜図４０の構造においては、シール構造は、チューブセクション８４０と同様に、４つの回転方向を可能にする。
【０２８５】
セパレータチューブ清浄空気入口セクションをその上に有するキャップを有するフィルタカートリッジとの関連で本明細書中に記載した原理を、記載したものと異なるピンチシール部材又はシール構造を有する構造に適用することができることに留意されたい。例えば、この原理は、周囲の突起／凹部輪郭あり又はなしで、ピンチシール表面の突起／凹部輪郭あり又はなしで使用することができるとともに、ハウジングシール構造がピンチシールでは全くなく、むしろ、上で参照した種類の径方向シールであるいくつかの構造に適用することができる。特徴は、本明細書で全般的に上述した別の媒体種類とともに使用することができることにも留意されたい。更に、原理は、所望であれば、安全フィルタカートリッジのない状態で適用することができる。
【０２８６】
加えて、その上に取り付けられた突起を含むシール構造の一部を安定させるための凹部を有する端部に沿って周囲突起を有する端部コア又は端部部品（例えば、参照符号８３２、図３９Ａ）から得られる耐変形又は耐丸まり特徴を使用する図３８〜図４１の構造が示される。入口チューブを有するエンドキャップの特徴は、所望であれば、この耐変形特徴を有しない構造に実装することができる。
【０２８７】
ＶＩ．いくつかの追加的な変更形態、一般的な解説
一般的に、本開示の原理の任意の好ましい適用によるフィルタカートリッジは、場合によっては、提供される特徴がなければ、使用中に媒体パックに向かう方に又はそこから離れる方に変形を受ける部分を有する軸方向ピンチシール構造を含む。図示される例では、ハウジングシール構造は軸方向ピンチシールであり、軸方向ピンチシールは、輪郭を有する下流ハウジングシール表面を含み、シール構造内に（例では、シール構造の一部分と媒体パックとの間の凹部にわたって）延び、そのような丸まり又は変形に対する安定化を提供するプリフォームが提供される。様々な代替形態及び一般的な特徴を記載する。
【０２８８】
記載される例では、凹部にわたって延びる構造体は、シール材に完全には組み込まれず、むしろ、その端部に凹部セクションの表面を形成する。また、動作を容易にするために、典型的には、この位置において傾斜が付けられている。両方とも好ましいが、本明細書中に記載される手法の全ての用途において特に必須なわけではない。
【０２８９】
上記特徴は、外形の変更形態、例えば、楕円形又は円形を含み得る媒体パックとの関連で示される。別の媒体種類について記載する。
【０２９０】
本明細書中に特徴付けられる特定の例示的な構造では、プレクリーナの一部分は、カートリッジに固定され（すなわち一体化され）、アクセスカバーの別の部分に係合する。カートリッジに固定されたプレクリーナの部分は、セパレータチューブの形成を好ましい状態で容易にするために、エアクリーナアクセスカバー内のセパレータセクションと係合するように方向付けられた、その上にセパレータチューブセクションを有するエンドキャップであり得る。
【０２９１】
様々なハウジング特徴が特徴付けられる。これらは、変形阻止構造を収容する特徴のみならず、選択された、好ましいプレクリーナ構成及び動作のためのいくつかの特徴を含む。
【０２９２】
構築、組み立て、及び使用の方法が特徴付けられる。
【０２９３】
本開示によるいくつかの利点を得るために、特に、アセンブリ、構成要素、又は特徴が、本明細書の上で特徴付けられた例示的な特徴の全てを含むという要件はない。
【図１】
2020532411.tif 000003
【図２】
2020532411.tif 000004
【図３】
2020532411.tif 000005
【図４】
2020532411.tif 000006
【図５】
2020532411.tif 000007
【図６】
2020532411.tif 000008
【図７】
2020532411.tif 000009
【図８】
2020532411.tif 000010
【図８Ａ】
2020532411.tif 000011
【図８Ｂ】
2020532411.tif 000012
【図９】
2020532411.tif 000013
【図１０】
2020532411.tif 000014
【図１１Ａ】
2020532411.tif 000015
【図１１Ｂ】
2020532411.tif 000016
【図１１Ｃ】
2020532411.tif 000017
【図１２Ａ】
2020532411.tif 000018
【図１２Ｂ】
2020532411.tif 000019
【図１３】
2020532411.tif 000020
【図１４】
2020532411.tif 000021
【図１５】
2020532411.tif 000022
【図１６】
2020532411.tif 000023
【図１７】
2020532411.tif 000024
【図１７Ａ】
2020532411.tif 000025
【図１８】
2020532411.tif 000026
【図１９】
2020532411.tif 000027
【図２０】
2020532411.tif 000028
【図２１】
2020532411.tif 000029
【図２１Ａ】
2020532411.tif 000030
【図２１Ｂ】
2020532411.tif 000031
【図２２】
2020532411.tif 000032
【図２３】
2020532411.tif 000033
【図２３Ａ】
2020532411.tif 000034
【図２４】
2020532411.tif 000035
【図２５】
2020532411.tif 000036
【図２５Ａ】
2020532411.tif 000037
【図２６】
2020532411.tif 000038
【図２７】
2020532411.tif 000039
【図２７Ａ】
2020532411.tif 000040
【図２７Ｂ】
2020532411.tif 000041
【図２８】
2020532411.tif 000042
【図２８Ａ】
2020532411.tif 000043
【図２８Ｂ】
2020532411.tif 000044
【図２９】
2020532411.tif 000045
【図２９Ａ】
2020532411.tif 000046
【図２９Ｂ】
2020532411.tif 000047
【図３０】
2020532411.tif 000048
【図３０Ａ】
2020532411.tif 000049
【図３０Ｂ】
2020532411.tif 000050
【図３１】
2020532411.tif 000051
【図３１Ａ】
2020532411.tif 000052
【図３１Ｂ】
2020532411.tif 000053
【図３２】
2020532411.tif 000054
【図３２Ａ】
2020532411.tif 000055
【図３３】
2020532411.tif 000056
【図３３Ａ】
2020532411.tif 000057
【図３４】
2020532411.tif 000058
【図３５】
2020532411.tif 000059
【図３６】
2020532411.tif 000060
【図３７】
2020532411.tif 000061
【図３８】
2020532411.tif 000062
【図３９】
2020532411.tif 000063
【図３９Ａ】
2020532411.tif 000064
【図４０】
2020532411.tif 000065
【図４１】
2020532411.tif 000066
【国際調査報告】
2020532411.tif 000067
2020532411.tif 000068
2020532411.tif 000069
2020532411.tif 000070